(57)【要約】【課題】テレビ放送番組の視聴等を妨げることなく、ユーザに情報コンテンツを提供できる機会を確保する。【解決手段】テレビジョン装置１０の電源オフ操作が行われると、テレビジョン装置１０は電源オフ通知をＨＤＤレコーダ２０に出力する。ＨＤＤレコーダ２０は電源オフ通知を取得すると、電源オン制御信号、ＨＤＤレコーダ２０に応じた表示ソースに切り替えさせる切替制御信号、及びコンテンツをテレビジョン装置１０に出力する。その結果、テレビジョン装置１０には、ユーザの電源オフ操作に連動して、ＨＤＤレコーダ２０が出力したコンテンツが表示される。【選択図】図１
2016086224.tif 000002
【特許請求の範囲】
【請求項１】
表示ソースによるコンテンツを表示可能な表示装置と、前記表示装置に表示ソースとして接続されるコンテンツ出力装置とを備えるコンテンツ表示システムにおいて、
前記表示装置は、
ユーザによる電源オフ操作を受け付けた場合、電源オフ操作の有った旨を通知する電源オフ通知を前記コンテンツ出力装置へ出力すると共に、スタンバイ状態に移行するようにしてあり、
前記コンテンツ出力装置は、
前記表示装置から出力された電源オフ通知を取得した場合、前記表示装置を電源オン状態に移行させる電源オン制御信号及びコンテンツを前記表示装置へ出力するオフ対応処理を行うオフ時処理手段を備え、
前記表示装置は更に、
前記コンテンツ出力装置からの電源オン制御信号を取得した場合、取得した電源オン制御信号に基づき、電源オン状態に移行する手段を備え、
前記コンテンツ出力装置からのコンテンツを取得した場合、取得したコンテンツを表示するようにしてあることを特徴とするコンテンツ表示システム。
【請求項２】
表示ソースによるコンテンツを表示可能な表示装置と、前記表示装置に表示ソースとして接続されるコンテンツ出力装置とを備えるコンテンツ表示システムにおいて、
前記コンテンツ出力装置は、
ユーザによる電源オフ操作を受け付けると、電源オフ操作の有った旨を通知する電源オフ通知を前記コンテンツ出力装置の操作取得部で取得するようにしてあり、
前記操作取得部で電源オフ通知を取得した場合、スタンバイ状態に移行することなく、コンテンツを前記表示装置へ出力するオフ対応処理を行うオフ時処理手段を備え、
前記表示装置は、
前記コンテンツ出力装置からのコンテンツを取得した場合、取得したコンテンツを表示するようにしてあることを特徴とするコンテンツ表示システム。
【請求項３】
前記表示装置は、複数の表示ソースを切り替え可能にしており、
前記コンテンツ出力装置は、
電源オフ通知を取得した場合、前記コンテンツ出力装置に応じた表示ソースに切り替えさせる切替制御信号を前記表示装置へ出力する手段を備え、
前記表示装置は、
前記コンテンツ出力装置からの切替制御信号を取得した場合、前記コンテンツ出力装置に応じた表示ソースに切り替える処理を行う手段を備える請求項１又は請求項２に記載のコンテンツ表示システム。
【請求項４】
前記コンテンツ出力装置は、
コンテンツ出力条件を記憶しており、
電源オフ通知を取得した場合、電源オフ通知を取得した状態が前記コンテンツ出力条件に合致するか否かを判断する条件判断手段を備え、
前記条件判断手段が前記コンテンツ出力条件に合致すると判断した場合、前記オフ時処理手段はオフ対応処理を行うようにしてある請求項１乃至請求項３のいずれか１項に記載のコンテンツ表示システム。
【請求項５】
前記コンテンツ出力装置は、
電源オフ通知を取得した場合、取得した電源オフ通知が、１日における１回目の電源オフ通知であるか否かを判断する１回目判断手段を備え、
前記１回目判断手段が１回目の電源オフ通知であると判断した場合、前記オフ時処理手段はオフ対応処理を行うようにしてあり、
前記１回目判断手段が１回目の電源オフ通知でないと判断した場合、前記オフ時処理手段はオフ対応処理を行わないようにしてある請求項１乃至請求項４のいずれか１項に記載のコンテンツ表示システム。
【請求項６】
前記コンテンツ出力装置は、
ユーザ操作の受け付けが可能な操作受付部を含むコンテンツを出力するようにしてあり、
前記表示装置は、
前記操作受付部を含むコンテンツを表示して前記操作受付部でユーザ操作を受け付けた場合、ユーザ操作の受け付けを通知するユーザ操作通知を前記コンテンツ出力装置へ出力する手段を備え、
前記コンテンツ出力装置は、
前記表示装置からのユーザ操作通知を取得した場合、取得したユーザ操作通知を記憶するようにしてあり、
電源オフ通知を取得した場合、ユーザ操作通知の記憶の有無を判断する通知判断手段を備え、
前記通知判断手段がユーザ操作通知の記憶が無いと判断した場合、前記オフ時処理手段はオフ対応処理を行うようにしてあり、
前記通知判断手段がユーザ操作通知の記憶が有ると判断した場合、前記オフ時処理手段はオフ対応処理を行わないようにしてある請求項１乃至請求項４のいずれか１項に記載のコンテンツ表示システム。
【請求項７】
前記コンテンツ出力装置は、
電源オフ通知を取得した場合、電源オフ通知を取得した時間が基準時間帯に含まれるか否かの比較を行う比較手段を備え、
前記対比手段の比較結果に応じて、前記オフ時処理手段はオフ対応処理を行うようにしてある請求項１乃至請求項６のいずれか１項に記載のコンテンツ表示システム。
【請求項８】
前記コンテンツ出力装置は、
前記オフ時処理手段がオフ対応処理を行った場合で電源オフ通知を取得したとき、前記表示装置をスタンバイ状態に移行させるスタンバイ制御信号を前記表示装置へ出力する手段を備え、
前記表示装置は、
前記コンテンツ出力装置からのスタンバイ制御信号を取得した場合、取得したスタンバイ制御信号に基づき、スタンバイ状態に移行する手段を備える請求項１乃至請求項７のいずれか１項に記載のコンテンツ表示システム。
【請求項９】
前記コンテンツ出力装置は、
前記オフ時処理手段がオフ対応処理を行った場合、計時する手段と、
計時した時間が基準時間を超過したか否かを判断する判断手段と、
前記判断手段が基準時間を超過したと判断した場合、前記表示装置をスタンバイ状態に移行させるスタンバイ制御信号を前記表示装置へ出力する手段と
を備え、
前記表示装置は、
前記コンテンツ出力装置からのスタンバイ制御信号を取得した場合、取得したスタンバイ制御信号に基づき、スタンバイ状態に移行する手段を備える請求項１乃至請求項８のいずれか１項に記載のコンテンツ表示システム。
【請求項１０】
前記コンテンツ出力装置は、
前記オフ時処理手段が、ユーザ操作の受け付けが可能な操作受付部を含むコンテンツを出力するようにしてあり、
前記表示装置は、
前記操作受付部を含むコンテンツを表示して前記操作受付部でユーザ操作を受け付けた場合、ユーザ操作の受け付けを通知するユーザ操作通知を前記コンテンツ出力装置へ出力する手段を備え、
前記コンテンツ出力装置は、
前記表示装置からのユーザ操作通知を取得した場合、前記表示装置をスタンバイ状態に移行させるスタンバイ制御信号を前記表示装置へ出力する手段を備え、
前記表示装置は、
前記コンテンツ出力装置からのスタンバイ制御信号を取得した場合、取得したスタンバイ制御信号に基づき、スタンバイ状態に移行する手段を備える請求項１乃至請求項９のいずれか１項に記載のコンテンツ表示システム。
【請求項１１】
前記コンテンツ出力装置は、
外部から情報を取得する情報取得手段を備え、
前記情報取得手段が取得した情報に基づいたコンテンツを出力するようにしてある請求項１乃至請求項１０のいずれか１項に記載のコンテンツ表示システム。
【請求項１２】
表示ソースによるコンテンツを表示可能な表示装置と、前記表示装置に表示ソースとして接続されるコンテンツ出力装置とを備えるコンテンツ表示システムでコンテンツを表示するコンテンツ表示方法において、
前記表示装置は、
ユーザによる電源オフ操作を受け付けた場合、電源オフ操作の有った旨を通知する電源オフ通知を前記コンテンツ出力装置へ出力すると共に、スタンバイ状態に移行するステップを備え、
前記コンテンツ出力装置は、
前記表示装置から出力された電源オフ通知を取得した場合、前記表示装置を電源オン状態に移行させる電源オン制御信号及びコンテンツを前記表示装置へ出力するステップを備え、
前記表示装置は更に、
前記コンテンツ出力装置からの電源オン制御信号を取得した場合、取得した電源オン制御信号に基づき、電源オン状態に移行するステップと、
前記コンテンツ出力装置からのコンテンツを取得した場合、取得したコンテンツを表示するステップと
を備えることを特徴とするコンテンツ表示方法。
【請求項１３】
表示ソースによるコンテンツを表示可能な表示装置と、前記表示装置に表示ソースとして接続されるコンテンツ出力装置とを備えるコンテンツ表示システムでコンテンツを表示するコンテンツ表示方法において、
前記コンテンツ出力装置は、
ユーザによる電源オフ操作を受け付けた場合、スタンバイ状態に移行することなく、コンテンツを前記表示装置へ出力するステップを備え、
前記表示装置は、
前記コンテンツ出力装置からのコンテンツを取得した場合、取得したコンテンツを表示するステップを備えることを特徴とするコンテンツ表示方法。
【請求項１４】
表示ソースによるコンテンツを表示する外部の表示装置に、表示ソースとして接続可能なコンテンツ出力装置において、
外部の表示装置から出力された電源オフ通知を取得した場合、外部の表示装置を電源オン状態に移行させる電源オン制御信号及びコンテンツを外部の表示装置へ出力するオフ対応処理を行うオフ時処理手段を備えることを特徴とするコンテンツ出力装置。
【請求項１５】
表示ソースによるコンテンツを表示する外部の表示装置に、表示ソースとして接続可能なコンテンツ出力装置において、
ユーザによる電源オフ操作を受け付けると、電源オフ操作の有った旨を通知する電源オフ通知を操作取得部で取得するようにしてあり、
前記操作取得部で電源オフ通知を取得した場合、スタンバイ状態に移行することなく、コンテンツを外部の表示装置へ出力するオフ対応処理を行うオフ時処理手段を備えることを特徴とするコンテンツ出力装置。
【請求項１６】
外部の表示装置は複数の表示ソースの切り替えが可能であり、
電源オフ通知を取得した場合、自身に応じた表示ソースに切り替えさせる切替制御信号を外部の表示装置へ出力する手段を備える請求項１４又は請求項１５に記載のコンテンツ出力装置。
【請求項１７】
コンテンツ出力条件を記憶しており、
電源オフ通知を取得した場合、電源オフ通知を取得した状態が前記コンテンツ出力条件に合致するか否かを判断する条件判断手段を備え、
前記条件判断手段が前記コンテンツ出力条件に合致すると判断した場合、前記オフ時処理手段はオフ対応処理を行うようにしてある請求項１４乃至請求項１６のいずれか１項に記載のコンテンツ出力装置。
【請求項１８】
電源オフ通知を取得した場合、取得した電源オフ通知が、１日における１回目の電源オフ通知であるか否かを判断する１回目判断手段を備え、
前記１回目判断手段が１回目の電源オフ通知であると判断した場合、前記オフ時処理手段はオフ対応処理を行うようにしてあり、
前記１回目判断手段が１回目の電源オフ通知でないと判断した場合、前記オフ時処理手段はオフ対応処理を行わないようにしてある請求項１４乃至請求項１７のいずれか１項に記載のコンテンツ出力装置。
【請求項１９】
電源オフ通知を取得した場合、電源オフ通知を取得した時間が基準時間帯に含まれるか否かの比較を行う比較手段を備え、
前記対比手段の比較結果に応じて、前記オフ時処理手段はオフ対応処理を行うようにしてある請求項１４乃至請求項１８のいずれか１項に記載のコンテンツ出力装置。
【請求項２０】
ユーザ操作の受け付けが可能な操作受付部を含むコンテンツを出力するようにしてあり、
前記操作受付部でのユーザ操作の受け付けに基づくユーザ操作通知を外部の表示装置から取得した場合、取得したユーザ操作通知を記憶するようにしてあり、
電源オフ通知を取得した場合、ユーザ操作通知の記憶の有無を判断する通知判断手段を備え、
前記通知判断手段がユーザ操作通知の記憶が無いと判断した場合、前記オフ時処理手段はオフ対応処理を行うようにしてあり、
前記通知判断手段がユーザ操作通知の記憶が有ると判断した場合、前記オフ時処理手段はオフ対応処理を行わないようにしてある請求項１４乃至請求項１９のいずれか１項に記載のコンテンツ出力装置。
【請求項２１】
前記オフ時処理手段がオフ対応処理を行った場合で電源オフ通知を取得したとき、外部の表示装置をスタンバイ状態に移行させるスタンバイ制御信号を外部の表示装置へ出力する手段を備える請求項１４乃至請求項２０のいずれか１項に記載のコンテンツ出力装置。
【請求項２２】
前記オフ時処理手段がオフ対応処理を行った場合、計時する手段と、
計時した時間が基準時間を超過したか否かを判断する判断手段と、
前記判断手段が基準時間を超過したと判断した場合、外部の表示装置をスタンバイ状態に移行させるスタンバイ制御信号を前記表示装置へ出力する手段と
を備える請求項１４乃至請求項２１のいずれか１項に記載のコンテンツ出力装置。
【請求項２３】
前記オフ時処理手段が、ユーザ操作の受け付けが可能な操作受付部を含むコンテンツを出力するようにしてあり、
前記操作受付部でのユーザ操作の受け付けに基づくユーザ操作通知を外部の表示装置から取得した場合、外部の表示装置をスタンバイ状態に移行させるスタンバイ制御信号を外部の表示装置へ出力する手段を備える請求項１４乃至請求項２２のいずれか１項に記載のコンテンツ出力装置。
【請求項２４】
外部から情報を取得する情報取得手段を備え、
前記情報取得手段が取得した情報に基づいたコンテンツを出力するようにしてある請求項１４乃至請求項２３のいずれか１項に記載のコンテンツ出力装置。
【請求項２５】
表示ソースによるコンテンツを表示する外部の表示装置に、表示ソースとして接続可能なコンテンツ出力装置がコンテンツを出力するコンテンツ出力方法において、
前記コンテンツ出力装置は、
外部の表示装置から出力された電源オフ通知を取得した場合、外部の表示装置を電源オン状態に移行させる電源オン制御信号及びコンテンツを外部の表示装置へ出力するオフ対応処理を行うステップを備えることを特徴とするコンテンツ出力方法。
【請求項２６】
表示ソースによるコンテンツを表示する外部の表示装置に、表示ソースとして接続可能なコンテンツ出力装置がコンテンツを出力するコンテンツ出力方法において、
前記コンテンツ出力装置は、
ユーザによる電源オフ操作を受け付けた場合、スタンバイ状態に移行することなく、コンテンツを外部の表示装置へ出力するオフ対応処理を行うステップを備えることを特徴とするコンテンツ出力方法。
【請求項２７】
表示ソースによるコンテンツを表示する外部の表示装置に、表示ソースとして接続可能なコンピュータに、コンテンツの出力処理を実行させるためのコンピュータプログラムにおいて、
前記コンピュータに、
外部の表示装置から出力された電源オフ通知を取得した場合、外部の表示装置を電源オン状態に移行させる電源オン制御信号及びコンテンツを外部の表示装置へ出力するオフ対応処理を行うステップを実行させることを特徴とするコンピュータプログラム。
【請求項２８】
表示ソースによるコンテンツを表示する外部の表示装置に、表示ソースとして接続可能なコンピュータに、コンテンツの出力処理を実行させるためのコンピュータプログラムにおいて、
前記コンピュータに、
ユーザによる電源オフ操作を受け付けた場合、スタンバイ状態に移行することなく、コンテンツを外部の表示装置へ出力するオフ対応処理を行うステップを実行させることを特徴とするコンピュータプログラム。
【発明の詳細な説明】
【技術分野】
【０００１】
本発明は、ユーザによる電源オフ操作に連動させて様々な情報（コンテンツ）をユーザに提示できるようにしたコンテンツ表示システム、コンテンツ表示方法、コンテンツ出力装置、コンテンツ出力方法、及びコンピュータプログラムに関する。
【背景技術】
【０００２】
従来、テレビジョン装置のような表示装置は外部機器接続用の接続部（接続端子等）を具備しており、この接続部に外部装置を接続することで、外部装置が出力する様々なコンテンツを表示できるようにしている。外部装置の例としては、録画及び再生の両方の機能を具備する録画再生装置（例えばＢＤレコーダ、ＤＶＤレコーダ、ＨＤＤレコーダ等）、再生機能のみを有する再生装置（例えば、ＤＶＤプレーヤ等）、ケーブルテレビ用装置（例えば、ＣＡＴＶ用セットトップボックス等）、ネットワーク用装置（例えば、ネットワーク用セットトップボックス等）などがある。
【０００３】
なお、下記の特許文献１では、電源オン時に所定時間だけ、テレビ放送に代わって、特定番組のチャンネルをテレビ放送受信端末装置で表示させる内容が説明されている。
【先行技術文献】
【特許文献】
【０００４】
【特許文献１】特開２００６−１４２５９号公報
【発明の概要】
【発明が解決しようとする課題】
【０００５】
テレビジョン装置のような表示装置は、情報コンテンツを視覚的にユーザへ伝えることができるため、ユーザの日常的な生活に深く関わっており、そのテレビジョン装置で個々のユーザに関連する各種情報コンテンツを提供できるようにすれば、ユーザの日常生活の様々な事柄に役立てられることが想定できる。しかし、例えば、テレビジョン装置の場合、ユーザはテレビジョン放送の番組を視聴したいために、テレビジョン装置の電源オン操作を行うので、電源のオン操作に連動して、テレビジョン放送の番組以外のコンテンツを表示させると、却ってユーザの意向に反することになる。
【０００６】
本発明は、斯かる事情に鑑みてなされたものであり、テレビジョン装置等に対する電源オフ操作に連動してコンテンツを表示させるようにすることで、様々な情報をユーザに提示する機会を確保してユーザの日常生活に役立つ情報を伝えられるようにしたコンテンツ表示システム、コンテンツ表示方法、コンテンツ出力装置、コンテンツ出力方法、及びコンピュータプログラムを提供することを目的とする。
【課題を解決するための手段】
【０００７】
上記課題を解決するために本発明に係るコンテンツ表示システムは、表示ソースによるコンテンツを表示可能な表示装置と、前記表示装置に表示ソースとして接続されるコンテンツ出力装置とを備えるコンテンツ表示システムにおいて、前記表示装置は、ユーザによる電源オフ操作を受け付けた場合、電源オフ操作の有った旨を通知する電源オフ通知を前記コンテンツ出力装置へ出力すると共に、スタンバイ状態に移行するようにしてあり、前記コンテンツ出力装置は、前記表示装置から出力された電源オフ通知を取得した場合、前記表示装置を電源オン状態に移行させる電源オン制御信号及びコンテンツを前記表示装置へ出力するオフ対応処理を行うオフ時処理手段を備え、前記表示装置は更に、前記コンテンツ出力装置からの電源オン制御信号を取得した場合、取得した電源オン制御信号に基づき、電源オン状態に移行する手段を備え、前記コンテンツ出力装置からのコンテンツを取得した場合、取得したコンテンツを表示するようにしてあることを特徴とする。
【０００８】
本発明に係るコンテンツ表示システムは、表示ソースによるコンテンツを表示可能な表示装置と、前記表示装置に表示ソースとして接続されるコンテンツ出力装置とを備えるコンテンツ表示システムにおいて、前記コンテンツ出力装置は、ユーザによる電源オフ操作を受け付けると、電源オフ操作の有った旨を通知する電源オフ通知を前記コンテンツ出力装置の操作取得部で取得するようにしてあり、前記操作取得部で電源オフ通知を取得した場合、スタンバイ状態に移行することなく、コンテンツを前記表示装置へ出力するオフ対応処理を行うオフ時処理手段を備え、前記表示装置は、前記コンテンツ出力装置からのコンテンツを取得した場合、取得したコンテンツを表示するようにしてあることを特徴とする。
【０００９】
本発明に係るコンテンツ表示システムは、前記表示装置が、複数の表示ソースを切り替え可能にしており、前記コンテンツ出力装置は、電源オフ通知を取得した場合、前記コンテンツ出力装置に応じた表示ソースに切り替えさせる切替制御信号を前記表示装置へ出力する手段を備え、前記表示装置は、前記コンテンツ出力装置からの切替制御信号を取得した場合、前記コンテンツ出力装置に応じた表示ソースに切り替える処理を行う手段を備えることを特徴とする。
【００１０】
本発明に係るコンテンツ表示システムは、前記コンテンツ出力装置が、コンテンツ出力条件を記憶しており、電源オフ通知を取得した場合、電源オフ通知を取得した状態が前記コンテンツ出力条件に合致するか否かを判断する条件判断手段を備え、前記条件判断手段が前記コンテンツ出力条件に合致すると判断した場合、前記オフ時処理手段はオフ対応処理を行うようにしてあることを特徴とする。
【００１１】
本発明に係るコンテンツ表示システムは、前記コンテンツ出力装置が、電源オフ通知を取得した場合、取得した電源オフ通知が、１日における１回目の電源オフ通知であるか否かを判断する１回目判断手段を備え、前記１回目判断手段が１回目の電源オフ通知であると判断した場合、前記オフ時処理手段はオフ対応処理を行うようにしてあり、前記１回目判断手段が１回目の電源オフ通知でないと判断した場合、前記オフ時処理手段はオフ対応処理を行わないようにしてあることを特徴とする。
【００１２】
本発明に係るコンテンツ表示システムは、前記コンテンツ出力装置が、ユーザ操作の受け付けが可能な操作受付部を含むコンテンツを出力するようにしてあり、前記表示装置は、前記操作受付部を含むコンテンツを表示して前記操作受付部でユーザ操作を受け付けた場合、ユーザ操作の受け付けを通知するユーザ操作通知を前記コンテンツ出力装置へ出力する手段を備え、前記コンテンツ出力装置は、前記表示装置からのユーザ操作通知を取得した場合、取得したユーザ操作通知を記憶するようにしてあり、電源オフ通知を取得した場合、ユーザ操作通知の記憶の有無を判断する通知判断手段を備え、前記通知判断手段がユーザ操作通知の記憶が無いと判断した場合、前記オフ時処理手段はオフ対応処理を行うようにしてあり、前記通知判断手段がユーザ操作通知の記憶が有ると判断した場合、前記オフ時処理手段はオフ対応処理を行わないようにしてあることを特徴とする。
【００１３】
本発明に係るコンテンツ表示システムは、前記コンテンツ出力装置が、電源オフ通知を取得した場合、電源オフ通知を取得した時間が基準時間帯に含まれるか否かの比較を行う比較手段を備え、前記対比手段の比較結果に応じて、前記オフ時処理手段はオフ対応処理を行うようにしてあることを特徴とする。
また、本発明に係るコンテンツ表示システムは、前記コンテンツ出力装置が、前記オフ時処理手段がオフ対応処理を行った場合で電源オフ通知を取得したとき、前記表示装置をスタンバイ状態に移行させるスタンバイ制御信号を前記表示装置へ出力する手段を備え、前記表示装置は、前記コンテンツ出力装置からのスタンバイ制御信号を取得した場合、取得したスタンバイ制御信号に基づき、スタンバイ状態に移行する手段を備えることを特徴とする。
【００１４】
本発明に係るコンテンツ表示システムは、前記コンテンツ出力装置が、前記オフ時処理手段がオフ対応処理を行った場合、計時する手段と、計時した時間が基準時間を超過したか否かを判断する判断手段と、前記判断手段が基準時間を超過したと判断した場合、前記表示装置をスタンバイ状態に移行させるスタンバイ制御信号を前記表示装置へ出力する手段とを備え、前記表示装置は、前記コンテンツ出力装置からのスタンバイ制御信号を取得した場合、取得したスタンバイ制御信号に基づき、スタンバイ状態に移行する手段を備えることを特徴とする。
【００１５】
本発明に係るコンテンツ表示システムは、前記コンテンツ出力装置が、前記オフ時処理手段が、ユーザ操作の受け付けが可能な操作受付部を含むコンテンツを出力するようにしてあり、前記表示装置は、前記操作受付部を含むコンテンツを表示して前記操作受付部でユーザ操作を受け付けた場合、ユーザ操作の受け付けを通知するユーザ操作通知を前記コンテンツ出力装置へ出力する手段を備え、前記コンテンツ出力装置は、前記表示装置からのユーザ操作通知を取得した場合、前記表示装置をスタンバイ状態に移行させるスタンバイ制御信号を前記表示装置へ出力する手段を備え、前記表示装置は、前記コンテンツ出力装置からのスタンバイ制御信号を取得した場合、取得したスタンバイ制御信号に基づき、スタンバイ状態に移行する手段を備えることを特徴とする。
【００１６】
本発明に係るコンテンツ表示システムは、前記コンテンツ出力装置が、外部から情報を取得する情報取得手段を備え、前記情報取得手段が取得した情報に基づいたコンテンツを出力するようにしてあることを特徴とする。
【００１７】
本発明に係るコンテンツ表示方法は、表示ソースによるコンテンツを表示可能な表示装置と、前記表示装置に表示ソースとして接続されるコンテンツ出力装置とを備えるコンテンツ表示システムでコンテンツを表示するコンテンツ表示方法において、前記表示装置は、ユーザによる電源オフ操作を受け付けた場合、電源オフ操作の有った旨を通知する電源オフ通知を前記コンテンツ出力装置へ出力すると共に、スタンバイ状態に移行するステップを備え、前記コンテンツ出力装置は、前記表示装置から出力された電源オフ通知を取得した場合、前記表示装置を電源オン状態に移行させる電源オン制御信号及びコンテンツを前記表示装置へ出力するステップを備え、前記表示装置は更に、前記コンテンツ出力装置からの電源オン制御信号を取得した場合、取得した電源オン制御信号に基づき、電源オン状態に移行するステップと、前記コンテンツ出力装置からのコンテンツを取得した場合、取得したコンテンツを表示するステップとを備えることを特徴とする。
【００１８】
本発明に係るコンテンツ表示方法は、表示ソースによるコンテンツを表示可能な表示装置と、前記表示装置に表示ソースとして接続されるコンテンツ出力装置とを備えるコンテンツ表示システムでコンテンツを表示するコンテンツ表示方法において、前記コンテンツ出力装置は、ユーザによる電源オフ操作を受け付けた場合、スタンバイ状態に移行することなく、コンテンツを前記表示装置へ出力するステップを備え、前記表示装置は、前記コンテンツ出力装置からのコンテンツを取得した場合、取得したコンテンツを表示するステップを備えることを特徴とする。
【００１９】
本発明に係るコンテンツ出力装置は、表示ソースによるコンテンツを表示する外部の表示装置に、表示ソースとして接続可能なコンテンツ出力装置において、外部の表示装置から出力された電源オフ通知を取得した場合、外部の表示装置を電源オン状態に移行させる電源オン制御信号及びコンテンツを外部の表示装置へ出力するオフ対応処理を行うオフ時処理手段を備えることを特徴とする。
また、本発明に係るコンテンツ出力装置は、表示ソースによるコンテンツを表示する外部の表示装置に、表示ソースとして接続可能なコンテンツ出力装置において、ユーザによる電源オフ操作を受け付けると、電源オフ操作の有った旨を通知する電源オフ通知を操作取得部で取得するようにしてあり、前記操作取得部で電源オフ通知を取得した場合、スタンバイ状態に移行することなく、コンテンツを外部の表示装置へ出力するオフ対応処理を行うオフ時処理手段を備えることを特徴とする。
【００２０】
本発明に係るコンテンツ出力装置は、外部の表示装置は複数の表示ソースの切り替えが可能であり、電源オフ通知を取得した場合、自身に応じた表示ソースに切り替えさせる切替制御信号を外部の表示装置へ出力する手段を備えることを特徴とする。
また、本発明に係るコンテンツ出力装置は、コンテンツ出力条件を記憶しており、電源オフ通知を取得した場合、電源オフ通知を取得した状態が前記コンテンツ出力条件に合致するか否かを判断する条件判断手段を備え、前記条件判断手段が前記コンテンツ出力条件に合致すると判断した場合、前記オフ時処理手段はオフ対応処理を行うようにしてあることを特徴とする。
【００２１】
本発明に係るコンテンツ出力装置は、電源オフ通知を取得した場合、取得した電源オフ通知が、１日における１回目の電源オフ通知であるか否かを判断する１回目判断手段を備え、前記１回目判断手段が１回目の電源オフ通知であると判断した場合、前記オフ時処理手段はオフ対応処理を行うようにしてあり、前記１回目判断手段が１回目の電源オフ通知でないと判断した場合、前記オフ時処理手段はオフ対応処理を行わないようにしてあることを特徴とする。
また、本発明に係るコンテンツ出力装置は、電源オフ通知を取得した場合、電源オフ通知を取得した時間が基準時間帯に含まれるか否かの比較を行う比較手段を備え、前記対比手段の比較結果に応じて、前記オフ時処理手段はオフ対応処理を行うようにしてあることを特徴とする。
【００２２】
本発明に係るコンテンツ出力装置は、ユーザ操作の受け付けが可能な操作受付部を含むコンテンツを出力するようにしてあり、前記操作受付部でのユーザ操作の受け付けに基づくユーザ操作通知を外部の表示装置から取得した場合、取得したユーザ操作通知を記憶するようにしてあり、電源オフ通知を取得した場合、ユーザ操作通知の記憶の有無を判断する通知判断手段を備え、前記通知判断手段がユーザ操作通知の記憶が無いと判断した場合、前記オフ時処理手段はオフ対応処理を行うようにしてあり、前記通知判断手段がユーザ操作通知の記憶が有ると判断した場合、前記オフ時処理手段はオフ対応処理を行わないようにしてあることを特徴とする。
【００２３】
本発明に係るコンテンツ出力装置は、前記オフ時処理手段がオフ対応処理を行った場合で電源オフ通知を取得したとき、外部の表示装置をスタンバイ状態に移行させるスタンバイ制御信号を外部の表示装置へ出力する手段を備えることを特徴とする。
また、本発明に係るコンテンツ出力装置は、前記オフ時処理手段がオフ対応処理を行った場合、計時する手段と、計時した時間が基準時間を超過したか否かを判断する判断手段と、前記判断手段が基準時間を超過したと判断した場合、外部の表示装置をスタンバイ状態に移行させるスタンバイ制御信号を前記表示装置へ出力する手段とを備えることを特徴とする。
【００２４】
本発明に係るコンテンツ出力装置は、前記オフ時処理手段が、ユーザ操作の受け付けが可能な操作受付部を含むコンテンツを出力するようにしてあり、前記操作受付部でのユーザ操作の受け付けに基づくユーザ操作通知を外部の表示装置から取得した場合、外部の表示装置をスタンバイ状態に移行させるスタンバイ制御信号を外部の表示装置へ出力する手段を備えることを特徴とする。
また、本発明に係るコンテンツ出力装置は、外部から情報を取得する情報取得手段を備え、前記情報取得手段が取得した情報に基づいたコンテンツを出力するようにしてあることを特徴とする。
【００２５】
本発明に係るコンテンツ出力方法は、表示ソースによるコンテンツを表示する外部の表示装置に、表示ソースとして接続可能なコンテンツ出力装置がコンテンツを出力するコンテンツ出力方法において、前記コンテンツ出力装置は、外部の表示装置から出力された電源オフ通知を取得した場合、外部の表示装置を電源オン状態に移行させる電源オン制御信号及びコンテンツを外部の表示装置へ出力するオフ対応処理を行うステップを備えることを特徴とする。
また、本発明に係るコンテンツ出力方法は、表示ソースによるコンテンツを表示する外部の表示装置に、表示ソースとして接続可能なコンテンツ出力装置がコンテンツを出力するコンテンツ出力方法において、前記コンテンツ出力装置は、ユーザによる電源オフ操作を受け付けた場合、スタンバイ状態に移行することなく、コンテンツを外部の表示装置へ出力するオフ対応処理を行うステップを備えることを特徴とする。
【００２６】
本発明に係るコンピュータプログラムは、表示ソースによるコンテンツを表示する外部の表示装置に、表示ソースとして接続可能なコンピュータに、コンテンツの出力処理を実行させるためのコンピュータプログラムにおいて、前記コンピュータに、外部の表示装置から出力された電源オフ通知を取得した場合、外部の表示装置を電源オン状態に移行させる電源オン制御信号及びコンテンツを外部の表示装置へ出力するオフ対応処理を行うステップを実行させることを特徴とする。
また、本発明に係るコンピュータプログラムは、表示ソースによるコンテンツを表示する外部の表示装置に、表示ソースとして接続可能なコンピュータに、コンテンツの出力処理を実行させるためのコンピュータプログラムにおいて、前記コンピュータに、ユーザによる電源オフ操作を受け付けた場合、スタンバイ状態に移行することなく、コンテンツを外部の表示装置へ出力するオフ対応処理を行うステップを実行させることを特徴とする。
【００２７】
本発明にあっては、コンテンツの出力を行うコンテンツ出力装置を接続した表示装置がユーザより電源オフ操作を受け付けると、コンテンツ出力装置が電源オフ通知を表示装置より取得するようにしている。そして、コンテンツ出力装置が、電源オフ通知を取得すると、電源オン制御信号及びコンテンツを表示装置へ出力する。その結果、表示装置に対してユーザにより電源オフ操作が行われても、表示装置はコンテンツ出力装置の制御により電源オン状態に移行させられて、コンテンツ出力装置が出力するコンテンツを表示装置が表示するので、表示装置に対する電源オフの操作に連動してコンテンツを表示できるようになる。なお、表示するコンテンツの例としては、ユーザの予定、天気予報、家屋内の電気機器に作動状況に関する注意など、ユーザの生活に関連した情報を提供することが想定される。
【００２８】
本発明にあっては、コンテンツの出力を行うコンテンツ出力装置が表示装置に接続されており、コンテンツ出力装置がユーザより電源オフ操作を受け付けた場合、スタンバイ状態になるのではなく、コンテンツを表示装置へ出力するので、コンテンツ出力装置に対してユーザにより電源オフ操作が行われても、表示装置ではコンテンツが表示されるようになる。よって、ユーザの電源オフ操作に連動して表示装置にコンテンツを表示できるようになり、ユーザの生活に関連した各種情報等をユーザに提示する機会を確保できる。
【００２９】
本発明にあっては、表示装置が複数の表示ソースを切り替え可能していても、コンテンツ出力装置は、自身に応じた表示ソースに切り替えさせる切替制御信号を表示装置に出力するので、表示装置の表示ソースを、コンテンツ出力装置に応じた表示ソースに設定できるようになり、ユーザによる電源オフの操作が行われた場合、確実にコンテンツを表示できるようになる。
【００３０】
本発明にあっては、コンテンツ出力装置が記憶するコンテンツ出力条件に電源オフ通知を取得した状態が合致する場合、表示装置にコンテンツを表示させるので、やみくもにコンテンツが表示されることが無くなり、節度あるコンテンツの提示をユーザに行って、ユーザがコンテンツを見るように仕向けることができる。
【００３１】
本発明にあっては、１日における１回目の電源オフ操作に対して表示装置でコンテンツを表示するので、毎回の電源オフ操作ごとにコンテンツが表示されることもなくなり、表示されるコンテンツの希少性を高めてコンテンツに対するユーザの関心を引き付けやすくなる。
【００３２】
本発明にあっては、ユーザによる電源オフの操作に応じた時間が基準時間帯に含まれるか否かの比較結果により、表示装置にコンテンツを表示するようにしたので、時間帯によってコンテンツの表示を行うかをコントロールできるようになる。例えば、朝の時間帯にのみコンテンツを表示するようにした場合は、朝に関連するコンテンツをユーザに提示して夜の時間帯はコンテンツの表示を控えるような仕様に設定することができ、また、このような例とは逆に、朝の時間帯はコンテンツの表示を控えて夜の時間帯は夜間に関連したコンテンツをユーザに提示するような仕様にすることも可能となる。
【００３３】
本発明にあっては、表示装置で表示するコンテンツに操作受付部を含ませて、その操作受付部をユーザが選択すると、表示装置がユーザ操作通知を出力し、コンテンツ出力装置は、表示装置から出力されたユーザ操作通知を取得すれば、それを記憶し、ユーザ操作通知を記憶してれば、電源オフ操作に連動して表示装置でコンテンツを表示させないので、コンテンツの中の操作受付部に対する操作をユーザが一旦行えば、その後は電源オフ時にコンテンツが表示されないようにして、必要以上にコンテンツが表示されることを防止できる。このような操作受付部は、ユーザがコンテンツの内容を確認したときに選択されるような意味合いにすることが好ましく、それにより、ユーザが内容を確認すれば、それ以上、同じ内容のコンテンツを表示しないという仕様をユーザに提供できるようになる。また、表示するコンテンツの内容が変わる場合、又は１日が経過した場合などには、記憶していたユーザ操作通知を消去してリセットする仕様にすることも可能である。
【００３４】
本発明にあっては、電源オフ操作に連動して表示装置にコンテンツを表示した場合で、さらにユーザの電源オフ操作があったときは、コンテンツ出力装置はスタンバイ制御信号を表示装置に出力して表示装置をスタンバイ状態に移行させる。そのため、二回目の電源オフ操作で表示装置を電源オフ操作によるスタンバイ状態にできるので、最初の電源オフ操作に連動して表示されたコンテンツを終了できると共に、表示装置の電源オン状態が続くことを防止できる。
【００３５】
本発明にあっては、電源オフ操作に連動して表示装置にコンテンツを表示した場合に計時を行い、計時した時間が基準時間を超過すれば、コンテンツ出力装置はスタンバイ制御信号を表示装置に出力して表示装置をスタンバイ状態に移行させる。そのため電源オフ操作を行った場合、一定の時間が経過すると、表示装置は自動でスタンバイ状態に移行してコンテンツの表示も終了するようになる。
【００３６】
本発明にあっては、電源オフ操作に連動して表示するコンテンツに操作受付部を含ませて、その操作受付部をユーザが選択すると、表示装置がユーザ操作通知を出力し、コンテンツ出力装置は、表示装置から出力されたユーザ操作通知を取得すれば、スタンバイ制御信号を表示装置に出力するので、表示装置はスタンバイ制御信号に従ってスタンバイ状態に移行するようになる。そのため操作受付部に対する操作をユーザが行えば、最初の電源オフ操作に連動して表示されたコンテンツを終了できると共に、表示装置の電源オン状態が続くことを防止できる。
【００３７】
本発明にあっては、コンテンツ出力装置は、外部から情報を取得して、その取得した情報に基づいたコンテンツを出力するので、電源オフ操作に連動して多様なコンテンツをユーザに提示できるようになる。コンテンツ出力装置の情報の取得先の外部としては、家庭内のネットワークに接続されるホームサーバ、又は広域のネットワーク（インターネット等）に接続される各種ウェブサーバ等が想定される。
【発明の効果】
【００３８】
本発明にあっては、表示装置に対してユーザにより電源オフ操作が行われても、表示装置はコンテンツ出力装置の制御により電源オン状態に移行させられて、コンテンツ出力装置が出力するコンテンツを表示するので、ユーザの電源オフ操作に連動して表示装置にコンテンツを表示でき、様々な情報をユーザに提示できる機会を確保できる。
また、本発明にあっては、表示装置に接続されるコンテンツ出力装置に対してユーザにより電源オフ操作が行われても、コンテンツ出力装置が出力するコンテンツを表示装置が表示するので、この場合もユーザの電源オフ操作に連動して表示装置にコンテンツを表示できる。
【００３９】
本発明にあっては、表示装置が複数の表示ソースを切り替え可能していても、コンテンツ出力装置は、自身に応じた表示ソースに切り替えさせる切替制御信号を表示装置に出力するので、コンテンツ出力装置が出力するコンテンツを確実に表示装置で表示できる。
【００４０】
本発明にあっては、コンテンツ出力装置が記憶するコンテンツ出力条件に電源オフ通知を取得した状態が合致する場合に限り、表示装置にコンテンツを表示させるので、やみくもに電源オフ操作に連動してコンテンツが表示されることを防止できる。
【００４１】
本発明にあっては、１日における１回目の電源オフ操作に対して表示装置でコンテンツを表示するので、毎回の電源オフ操作ごとにコンテンツが表示されることもなくなり、表示されるコンテンツの希少性を高めてユーザの関心を引き付けられる。
本発明にあっては、ユーザによる電源オフの操作に応じた時間が基準時間帯に含まれるか否かの比較結果により、表示装置にコンテンツを表示するので、時間帯によってコンテンツの表示を行うかをコントロールできる。
本発明にあっては、表示装置で表示するコンテンツに操作受付部を含ませて、その操作受付部をユーザが選択すると、その後は、電源オフ操作に連動して表示装置でコンテンツを表示させないようにできるので、ユーザの操作受付部の選択操作に応じて、電源オフ操作によるコンテンツ表示の有無を切り替えられる。
【００４２】
本発明にあっては、電源オフ操作に連動して表示装置にコンテンツを表示した場合で、さらにユーザが電源オフ操作を行えば、最初の電源オフ操作に連動して表示されたコンテンツを終了できると共に、表示装置の電源オン状態が続くことを防止でき、表示装置で電力を無駄に消費することも防止できる。
また、本発明にあっては、電源オフ操作に連動して表示装置にコンテンツを表示した場合に計時を行い、計時した時間が基準時間を超過すれば、表示装置をスタンバイ状態に移行させるので、電源オフ操作に連動したコンテンツの表示を一定の時間に留めることができると共に、一定の時間の経過後に表示装置もスタンバイ状態に移行して、電力を無駄に消費することを防止できる。
さらに、本発明にあっては、電源オフ操作に連動して表示するコンテンツに操作受付部を含ませて、その操作受付部をユーザが選択すれば、表示装置をスタンバイ状態に移行させるので、電源オフ操作に連動したコンテンツの表示を選択操作部のユーザ操作により終了できると共に、表示装置もスタンバイ状態に移行して、無駄な電力消費を防止できる。
【００４３】
本発明にあっては、コンテンツ出力装置は、外部から情報を取得して、その取得した情報に基づいたコンテンツを出力するので、電源オフ操作に連動して多様なコンテンツをユーザに提示できる。
【図面の簡単な説明】
【００４４】
【図１】本発明の第１実施形態に係るコンテンツ表示システムの全体的な概要を示す概略図である。
【図２】テレビジョン装置の電源オフ操作が行われた場合、状態の遷移の例を示す概略図である。
【図３】テレビジョン装置の主要な内部構成を示すブロック図である。
【図４】リモコン装置の概要を示す概略図である。
【図５】表示ソース切替メニューの概要を示す概略図である。
【図６】ＨＤＤレコーダの主要な内部構成等を示すブロック図である。
【図７】（ａ）〜（ｄ）はコンテンツ画面の例を示す概略図である。
【図８】コンテンツ表示方法及びコンテンツ出力方法の処理手順を示す第１フローチャートである。
【図９】コンテンツ表示方法及びコンテンツ出力方法の処理手順を示す第２フローチャートである。
【図１０】（ａ）〜（ｃ）は表示条件の判断に係る具体例を示すフローチャートの一部である。
【図１１】表示終了条件の判断等に係るコンテンツ表示方法及びコンテンツ出力方法の処理手順を示す第３フローチャートである。
【図１２】本発明の第２実施形態に係るコンテンツ表示方法及びコンテンツ出力方法の処理手順を示す第４フローチャートである。
【図１３】第２実施形態における表示終了条件の判断等に係るコンテンツ表示方法及びコンテンツ出力方法の処理手順を示す第５フローチャートである。
【図１４】本発明の第３実施形態に係るコンテンツ表示システムの全体的な概要を示す概略図である。
【図１５】（ａ）〜（ｄ）は第２実施形態に係るコンテンツ画面の例を示す概略図である。
【図１６】第３実施形態に係る変形例のコンテンツ表示システムの全体的な概要を示す概略図である。
【発明を実施するための形態】
【実施例１】
【００４５】
図１は、本発明の第1実施形態に係るコンテンツ表示システム１を示している。第１実施形態のコンテンツ表示システム１は、表示装置に相当するテレビジョン装置１０にコンテンツ出力装置に相当するハードディスクプレーヤ２０（以降、ＨＤＤレコーダ２０と称す）を接続したものである。テレビジョン装置１０は、装置筐体の前面に表示画面１０ａ及びスピーカー１０ｂを設けると共に、装置筐体に設けた操作部１６に加えてリモコン装置１９でもユーザが種々の操作を行えるようになっている。第１実施形態では、テレビジョン装置１０の操作部１６又はリモコン装置１９での電源オフ操作に連動して、ＨＤＤレコーダ２０から出力されるコンテンツを表示するようにしたことが特徴になっている。
【００４６】
図２は、本発明の特徴的な機能により、テレビジョン装置１０に対する電源オフ操作に連動して、表示画面１０ａの内容が遷移していく状況を示す。最初、テレビジョン装置１０は電源オン状態であり、テレビ放送番組の画像を表示画面１０ａで表示しており（図２中、（１）に示す状態）、この状態で、ユーザが電源オフ操作を行うと、図２中、（２）に示すスタンバイ状態に移行し、表示画面１０ａで表示していたテレビ放送番組の画像が消えた状態となる。この状態から本発明では、図２中、（３）に示す状態に移行し、ＨＤＤレコーダ２０の制御により、テレビジョン装置１０は電源オン状態に移行して、ＨＤＤレコーダ２０から出力されたコンテンツに応じたコンテンツ画面５０（忘れ物注意という情報コンテンツを示す内容）を表示画面１０ａに表示する。この状態で再度、ユーザが電源オフ操作を行うと、図２中、（４）に示すように、スタンバイ状態となり、表示していたコンテンツ画面は消去される。
【００４７】
本発明における電源オン状態とは、テレビジョン装置１０に給電が行われて、テレビジョン装置１０が具備する各機能を作動させられる状態を意味し、装置本体の操作部１６又はリモコン装置１９で電源オン操作を受け付けることで、テレビジョン装置１０は電源オン状態になる。また、スタンバイ状態とは、上述した電源オン状態で、装置本体の操作部１６又はリモコン装置１９で電源オフ操作を受け付けることで、テレビジョン装置１０において操作部１６又はリモコン装置１９の電源オン操作の受け付けに関連する部分だけが少なくとも起動し、他の部分は起動していない状態（装置全体へ給電されていない待機状態）を意味する。なお、本発明における電源オフ状態とは、テレビジョン装置１０の電源コードを給電用のコンセント（電源１００Ｖ）から抜いた場合のように、テレビジョン装置１０へ全く給電が行われていない状態を意味するものとする。
【００４８】
図３は、テレビジョン装置１０の主要な内部構成を示している。テレビジョン装置１０は、前処理部１１、表示処理部１２、赤外線処理部１３、制御部１４、メモリ１５、操作部１６、第１接続部１７ａ（外部接続部に相当）、第２接続部１７ｂ、第３接続部１７ｃ、無線接続部１７ｄ、有線通信接続部１７ｅ、無線通信接続部１７ｆ、表示出力処理部１８ａ、及び音声出力処理部１８ｂ等を内部接続線Ｌで接続した構成になっている。また、これらの各部１１等は、内部接続線Ｌを通じて制御部１４と信号の送受を行っており、各部１１等は現在の処理状況等を示す信号を制御部１４へ伝えると共に、制御部１４は各部１１等から伝えられた処理状況等により現在の処理状況を把握し、把握した状況に応じて次に行う処理を制御するための制御信号を各部１１等へ送っている。以下、テレビジョン装置１０の各部を説明していく。
【００４９】
前処理部１１は、チューナ部、Ａ／Ｄ変換部、直交検波部、ＦＦＴ部、及び復調部を含み、アンテナで取得（受信）されたＲＦ信号（デジタル放送信号）が入力されており、この入力信号に対し所定の処理を行ってトランスポートストリーム（ＴＳ）を復調し、次の処理を行う表示処理部１２へ伝送する。なお、このような前処理部１１は、デジタル放送信号を扱うので、各放送局が配信するコンテンツをデジタル放送信号という形式で取得する表示ソースの一つに該当する。
【００５０】
表示処理部１２は、前処理部１１で復調されたトランスポートストリームに対して、デコード処理を行い、映像、音声、その他データに分離し、分離した映像ストリームに対しては映像デコード処理を行って表示出力処理部１８ａへ出力すると共に、分離した音声ストリームに対しては音声デコード処理を行って音声出力処理部１８ｂへ出力する。また、表示処理部１２は、第１接続部１７ａ、第２接続部１７ｂ、第３接続部１７ｃ、無線接続部１７ｄ、有線通信接続部１７ｅ、及び無線通信接続部１７ｆから取得したコンテンツに対しても映像（画像）、音声、その他データに分離して表示出力処理部１８ａ及び音声出力処理部１８ｂへ出力する処理を行っており、上述した複数の表示処理の対象（表示ソース）を、制御部１４の指示に従って適宜切り替える処理を行う（表示ソースの切替手段として機能する）。
【００５１】
表示出力処理部１８ａは、画像表示に必要な所定の処理を行って画像信号を生成し、生成した画像信号を表示画面１０ａへ出力する。また、音声出力処理部１８ｂは、増幅等の音声出力に必要な所定の処理を行って音声信号を生成し、生成した音声信号をスピーカー１０ｂへ出力して、スピーカー１０ｃから各種音声を出力する。上記のような処理を経ることで、表示処理部１２の処理対象の表示ソースが前処理部１１のチューナ部で受信したデジタル放送信号（コンテンツ）になっていれば、表示画面１０ａには、テレビジョン放送の番組画像等のコンテンツが表示されることになり、処理対象の表示ソースが第１接続部１７ａ、第２接続部１７ｂ、第３接続部１７ｃ、無線接続部１７ｄ、有線通信接続部１７ｅ、及び無線通信接続部１７ｆのいずれかで取得した外部からのコンテンツ信号（コンテンツ）になっていれば、テレビジョン装置１０の外部から取得したソースに応じた画像（コンテンツ）が表示画面１０ａに表示される。
【００５２】
また、テレビジョン装置１０におけるユーザとのインタフェース系に関する部分として、操作部１６及び赤外線処理部１３がある。操作部１６は、テレビジョン装置１０の装置筐体に設けられたユーザインタフェースであり、電源オン操作又は電源オフ操作の受け付けを行う電源スイッチ１６ａの他に、音量切替ボタン、チャンネル切替ボタン、ソース切替ボタン、上下キー、決定キー等を設けており、ユーザにより操作された内容は制御部１４へ伝えられる。なお、電源スイッチ１６ａは、テレビジョン装置１０がスタンバイ状態でユーザにより操作（例えば、スイッチの押圧操作）が行われると、電源オン操作を受け付けたことになり、また、テレビジョン装置１０が電源オン状態でユーザにより操作が行われると、電源オフ操作を受け付けたことになる。
【００５３】
赤外線処理部１３は、周知の赤外線規格（例えば、IrDA系の各規格）に応じた通信処理（信号・データの送受処理）を行うものであり、基本的には、ユーザからの操作を受け付けるリモコン装置１９から発せられる操作信号を含む赤外線信号を受光して、制御部１４へ伝える処理を行う。
【００５４】
図４は、上述した赤外線処理部１３に赤外線を発するリモコン装置１９を示している。リモコン装置１９は、先端側にテレビジョン装置１０の電源オン操作又は電源オフ操作の受け付けを行う電源スイッチ１９ａを有し、計１２個のボタンからなる数字ボタン１９ｉ、上下左右キー、決定ボタン１９ｇ、音量調整キー、チャンネル切替キー、ソース切替ボタン１９ｆ、戻るボタン、終了ボタン１９ｈ、メニューボタンに加えて、計４個のカラーボタン（青ボタン１９ｂ、赤ボタン１９ｃ、緑ボタン１９ｄ、黄ボタン１９ｅ）を有している。これらの各ボタン、スイッチでユーザからの操作を受け付けると、操作を受け付けた内容を示す赤外線信号（例えば、電源スイッチ１９ａが操作された旨を通知する操作通知信号）がリモコン装置１９より発せられる。なお、電源スイッチ１９ａにおける電源オン操作又は電源オフ操作の受け付け状況は、上述した装置筐体の操作部１６に設けられた電源スイッチ１６ａの場合と同様であり、電源スイッチ１９ａも、テレビジョン装置１０がスタンバイ状態でユーザにより操作が行われると、電源オン操作を受け付けたことになり、また、テレビジョン装置１０が電源オン状態でユーザにより操作が行われると、電源オフ操作を受け付けたことになる。
【００５５】
図３に戻り、テレビジョン装置１０の内部構成に関する説明を続ける。テレビジョン装置１０は、外部機器が接続可能な複数の入力系統を有し、これらの入力系統として、第１接続部１７ａ、第２接続部１７ｂ、第３接続部１７ｃ、無線接続部１７ｄ、有線通信接続部１７ｅ、及び無線通信接続部１７ｆを具備する。
【００５６】
第１接続部１７ａは映像・音声・制御信号等をデジタル信号で伝送する通信インタフェースの標準規格であるＨＤＭＩ（登録商標）（High-Definition Multimedia Interface  高精度マルチメディアインターフェイス）系の規格に応じた仕様の接続端子を有し、本実施形態では、接続ケーブルＣ１を通じてＨＤＤレコーダ２０が接続される。第２接続部１７ｂは、様々な周辺機器をシリアル接続するためのシリアルバス規格の1つであるＵＳＢ（Universal Serial Bus  ユニバーサル・シリアル・バス）規格に応じた仕様の接続端子を有する。第３接続部１７ｃは、ＩＥＥＥ１３９４系の規格に応じた接続端子を有し、この第３接続部１７ｃにはi.LINK（登録商標）、ＤＶ端子等が該当する。
【００５７】
無線接続部１７ｄは無線で様々な周辺機器と接続を行うものであり、本実施形態ではブルートゥース（Bluetooth  (登録商標)）規格に応じたものを用いている。有線通信接続部１７ｅはネットワークを介して有線通信を行うものであり、本実施形態ではイーサネット(登録商標)に応じた有線ＬＡＮ用の接続端子を有したものになっている。無線通信接続部１７ｆは無線通信用の通信部であり、本実施形態ではＩＥＥＥ８０２．１１系の規格（無線ＬＡＮ）に応じた無線通信を行うものになっている。
【００５８】
一方、制御部１４は、テレビジョン装置１０が具備する各種機能を実行する際に中心的な役割を担うものであり、メモリ１５に記憶された基本プログラムＰ１に規定される様々な処理内容に基づき、各種処理（テレビ放送受信処理、ＯＳＤ表示処理、表示ソース切替処理、出力処理、通信処理、電源オン／オフ制御処理等）を行う。また、メモリ１５は、上述した基本プログラムＰ１の他に、ＯＳＤ表示テーブルＴ１等を記憶している。ＯＳＤ表示テーブルＴ１は、ＯＳＤ表示するメニュー画面等に応じた表示画面データを各種格納したものである。
【００５９】
図５は、ＯＳＤ表示テーブルＴ１に格納される複数の表示画面データの中で一つに応じた表示ソース切替メニュー画面３１をテレビジョン装置１０の表示画面１０ａに表示した状態を示している。この表示ソース切替メニュー画面３１は、表示画面１０ａに表示すべき表示ソースをユーザが選択できるようにするためのメニュー画面であり、リモコン装置１９のソース切替ボタン１９ｆが押される操作がなされることで、制御部１４の制御により、ＯＳＤ表示テーブルＴ１から読み出されて、表示画面１０ａへ出力されることになる。表示ソース切替メニュー画面３１は、複数の第１選択欄３１ａ〜第７選択欄３１ｇを有すると共に、それらの各選択欄３１ａ〜３１ｇのいずれか一つを選択できるようにカーソル３２を有する。カーソル３２は、操作部１６又はリモコン装置１９の上下キーの操作で移動可能になっており、操作部１６又はリモコン装置１９の決定キーを押す操作を行うことで、カーソル３２の位置する選択欄が選択される。
【００６０】
なお、第１選択欄３１ａは前処理部１１のチューナ部で受信されたテレビジョン放送を表示ソースとして選択するためのものであり、以下、第２選択欄３１ｂは、第１接続部１７ａ（ＨＤＭＩ(登録商標)系）からの入力を表示ソースとして選択するためのものであり、第３選択欄３１ｃは、第２接続部１７ｂ（ＵＳＢ）からの入力を表示ソースとして選択するためのものであり、第４選択欄３１ｄは、第３接続部１７ｃ（ＩＥＥＥ１３９４）からの入力を表示ソースとして選択するためのものであり、第５選択欄３１ｅは、無線接続部１７ｄ（ブルートゥース）からの入力を表示ソースとして選択するためのものであり、第６選択欄３１ｆは、有線通信接続部１７ｅ（有線ＬＡＮ）からの入力を表示ソースとして選択するためのものであり、第７選択欄３１ｇは、無線通信接続部１７ｆ（無線ＬＡＮ）からの入力を表示ソースとして選択するためのものである。
【００６１】
また、メモリ１５に記憶される基本プログラムＰ１は、テレビジョン装置１０のファームウェア及びシステムプログラム等に相当するものであり、テレビジョン装置１０がテレビジョン装置としての各種機能（テレビジョンを視聴するための各種機能、通信機能等）を働かせるために必要な制御部１４の各種処理を規定したものであり、制御部１４は基本プログラムＰ１の規定に従い、ユーザの操作内容又は自動により各種制御に応じた処理を行う（後述の各種処理参照）。
【００６２】
制御部１４は、まず基本的な処理として、テレビジョン装置１０の給電状態を認識している。テレビジョン装置１０は電源コードが給電用のコンセントに差し込まれるとスタンバイ状態に移行するので、制御部１４は、テレビジョン装置１０がスタンバイ状態に移行したことを認識する。この状態で、操作部１６又はリモコン装置１９で電源スイッチ１６ａ、１９ａでユーザの操作を受け付けると、電源スイッチ１６ａ、１９ａで操作を受け付けた旨の通知（電源オン操作の通知）が制御部１４へ伝えられる。このような電源オン操作の通知がテレビジョン装置１０のスタンバイ状態で伝えられると、制御部１４は、電源オン通知を取得したと判断し、テレビジョン装置１０を電源オン状態へ移行する制御を行う。
【００６３】
また、テレビジョン装置１０が電源オン状態で、操作部１６又はリモコン装置１９にて電源スイッチ１６ａ、１９ａでユーザの操作を受け付けると、電源スイッチ１６ａ、１９ａで操作を受け付けた旨の通知（電源オフ操作の通知）が制御部１４へ伝えられる。この場合は、テレビジョン装置１０の電源オン状態で電源操作が通知されるので、制御部１４は電源オフ通知を取得したと判断し、テレビジョン装置１０をスタンバイ状態へ移行する制御を行う。
【００６４】
さらに、制御部１４は、操作部１６又はリモコン装置１９でユーザによる各種操作が行われると、ユーザ操作があった旨を、ＨＤＭＩ（登録商標）系の第１接続部１７ａ等を介して出力する制御を行う。具体的に第１実施形態のテレビジョン装置１０は、第１接続部１７に関してＨＤＭＩ（登録商標）−ＣＥＣという制御信号を伝送する仕様になっており、その伝送設定が有効になっている場合、第１接続部１７ａに何らかの機器が接続されると、テレビジョン装置１０を識別する装置識別情報（例えば、製造メーカ、型番（機種）等を示すＤｅｖｉｃｅ  Ｖｅｎｄｅｒ  ＩＤ）を示すＨＤＭＩ(登録商標)−ＣＥＣメッセージの出力が行われる。
【００６５】
また、ユーザがスタンバイ状態のテレビジョン装置１０に対して電源オン操作を行うと、テレビジョン装置１０が電源オン状態へ移行して、電源オン操作が行われた旨のＨＤＭＩ（登録商標）−ＣＥＣメッセージ（Give Physical Addressという情報のメッセージ。電源オン通知に相当）を第１接続部１７ａから出力する制御を制御部１４が行う。さらに、電源オフ操作が行われてテレビジョン装置１０がスタンバイ状態（待機状態）へ移行した場合、電源オフ操作が行われたことを示すＳｔａｎｄ  ｂｙメッセージ（電源オフ操作の有った旨を通知する電源オフ通知に相当）を第１接続部１７ａから出力する制御を制御部１４が行う。
【００６６】
さらにまた、テレビジョン装置１０がスタンバイ状態で、第１接続部１７ａで電源オン制御信号が入力されてきて、その電源オン制御信号を制御部１４が取得した場合、制御部１４は、電源オン制御信号に従ってテレビジョン装置１０を電源オン状態へ移行させる処理を行う。そして、テレビジョン装置１０が電源オン状態で、第１接続部１７ａでスタンバイ制御信号が入力されてきて、そのスタンバイ制御信号を制御部１４が取得した場合、制御部１４は、スタンバイ制御信号に従ってテレビジョン装置１０をスタンバイ状態へ移行させる処理を行う。
【００６７】
なお、第１接続部１７ａで、ＨＤＭＩ（登録商標）規格に応じたテレビジョン装置１０の状態を問い合わせるためのメッセージ（例えば、Ｇｅｔ  Ｄｅｖｉｃｅ  Ｐｏｗｅｒ  Ｓｔａｔｕｓメッセージ）を受け取った場合、その時のテレビジョン装置１０の電源状態を示すメッセージ（電源オン状態又はスタンバイ状態を示すＨＤＭＩ(登録商標)−ＣＥＣメッセージ）を第１接続部１７ａから出力する制御を制御部１４は行う。
【００６８】
上述した各種メッセージ（通知）は、テレビジョン装置１０がＨＤＭＩ（登録商標）−ＣＥＣの仕様に対応していない場合、又は対応していても、ＨＤＭＩ（登録商標）−ＣＥＣの設定が無効になっている場合は出力されない。そのため、ＨＤＭＩ（登録商標）−ＣＥＣの仕様に対応しているテレビジョン装置１０であっても、ＨＤＭＩ（登録商標）−ＣＥＣの設定が有効の状態から無効の状態に変更されると、無効への変更後は各種メッセージが出力されなくなる。また、テレビジョン装置１０の機種によっては、ＨＤＭＩ（登録商標）−ＣＥＣの設定が有効であっても、メッセージの出力を行わないように設定することも可能になっている。
【００６９】
さらに、第１接続部１７ａからは、テレビジョン装置１０の機種によっては、上述したメッセージ以外に、ユーザの電源オン操作に伴う情報、又は電源オフ操作に伴う情報の出力がなされる機種もある。
【００７０】
例えば、あるテレビジョン装置１０の機種では、ユーザにより電源オン操作がなされると、第１接続部１７から出力される情報に含まれるＨＰＤ情報（Ｈｏｔ  Ｐｌｕｇ  Ｄｅｔｅｃｔ情報）の中身が「０」から「−１」に変化する。このように出力する中身が変化する場合は、中身が「−１」に変化したＨＰＤ情報を、ユーザの電源オン操作の有った旨を通知する電源オン通知として利用することができる。また、ユーザにより電源オフ操作がなされると、ＨＰＤ情報の中身が「−１」から「０」に変化する機種も存在し、このように変化する場合では、中身が「０」に変化したＨＰＤ情報が、電源オフ操作の有った旨を通知する電源オフ通知として利用できる。
【００７１】
なお、第１接続部１７ａを通じて、著作権保護技術の一つであるＨＤＣＰ（High-bandwidth Digital Content Protection system）の暗号関連情報を、第１接続部１７ａに接続された機器と交換するテレビジョン装置１０も存在する。この暗号関連情報の交換においては、まず、テレビジョン装置１０において、ユーザにより電源オン操作がなされると、ＨＤＣＰ暗号化を開始するための問い合わせを行う出力情報（電源オン操作に伴う出力情報であり、外部の表示装置との接続確立を示す出力情報に相当）が、テレビジョン装置１０から、第１接続部１７ａに接続された外部機器へ送られ、この出力情報を受け取った第１接続部１７ａと接続された外部機器が、ＨＤＣＰ暗号化の開始の応答に必要な情報をテレビジョン装置１０へ返してＨＤＣＰ暗号化を開始できると判断する（Start encの状況）。このようにテレビジョン装置１０からのＨＤＣＰ暗号化を開始するための問い合わせを行う出力情報に基づき、第１接続部１７ａに接続された外部機器において、テレビジョン装置１０の電源オン状態の検知が可能となるので、このような出力情報を、電源オン通知として利用することもできる。また、テレビジョン装置１０において、ユーザにより電源オフ操作がなされると、テレビジョン装置１０からのＨＤＣＰ暗号化に関する出力情報（外部の表示装置との接続確立を示す出力情報に相当）が途絶えることになり（ＨＤＣＰ暗号に用いられる暗号鍵が不整合となるKey NGの場合）、第１接続部１７ａに接続された外部機器により、ＨＤＣＰ暗号化に関する出力情報を取得できなくなるという状況に基づいて、テレビジョン装置１０のスタンバイ状態の検知が可能となる。
【００７２】
また、ユーザが、上述した図５に示すソース切替メニュー画面３１をテレビジョン装置１０で表示して表示ソースの切替操作（入力系の切替操作に相当）を行った場合も、ソース切替操作が行われた旨のＨＤＭＩ（登録商標）−ＣＥＣメッセージを第１接続部１７ａから出力する制御を制御部１４が行う。さらに、第１接続部１７ａで、所定の表示ソースに切り替える指示を含む切替制御信号を取得した場合、制御部１４は、その取得した切替制御信号が指示する所定の表示ソースに切り替える処理を行う。そのため、第１接続部１７ａに接続された外部機器が、自己が接続されている表示ソース（第１接続部１７ａ）に切り替える旨の切替制御信号を出力すれば、テレビジョン装置１０の表示ソースを、第１接続部１７ａへ切り替えることを外部から行えると共に、その外部機器がコンテンツを出力すれば、そのコンテンツに応じた画像（映像）をテレビジョン装置１０の表示画面１０ａに表示することも外部から制御できる。
【００７３】
一方、図６は、上述したテレビジョン装置１０の第１接続部１７ａの接続端子に接続可能な外部機器の一例であるＨＤＤレコーダ２０（コンテンツ出力装置に相当）の主要な内部構成を示している。ＨＤＤレコーダ２０は、テレビジョン装置１０で受信されたテレビジョン放送の番組を映像データとして記憶部２０ｋ（ＨＤＤ）で録画（記録）できるようにしていると共に、録画した番組の映像データの再生処理を行って、録画した番組の映像をテレビジョン装置１０で表示できるようにするものである。本実施形態のＨＤＤレコーダ２０は、テレビジョン装置１０の電源オフ操作に連動して、ユーザへの情報となるコンテンツをテレビジョン装置１０で表示させる制御を行うことが特徴になっている。
【００７４】
ＨＤＤレコーダ２０は、一種のコンピュータ的な内部構造になっており、装置全体の制御を行うＣＰＵ２０ａに、外部装置接続部２０ｂ、有線通信部２０ｃ、無線通信部２０ｄ、外部インタフェース接続部２０ｅ、無線接続部２０ｆ、本体操作部２０ｇ、リモコン受光部２０ｈ、映像処理部２０ｉ、メモリ２０ｊ、記憶部２０ｋ等を内部接続線２１で接続した構成になっている。ＣＰＵ２０ａは記憶部２０ｋにインストールされた各種プログラムの規定に従って様々な処理を実行する。外部装置接続部２０ｂは接続手段に相当し、テレビジョン装置１０の第１接続部１７ａと接続ケーブルＣ１を介して接続可能なＨＤＭＩ（登録商標）規格に準じた接続端子部である。
【００７５】
有線通信部２０ｃ（通信手段に相当）は、有線通信を行うインタフェースであり、本実施形態ではイーサネット(登録商標)に応じた有線ＬＡＮ用の接続端子を有したものになっている。無線通信部２０ｄ（通信手段に相当）は、無線通信を行うインタフェースであり、ＩＥＥＥ８０２．１１系の規格（ＩＥＥＥ８０２．１１ｂ／ｇ、ａ等）に準じた無線ＬＡＮ通信を行う。
【００７６】
外部インタフェース接続部２０ｅは接続手段に相当し、外部記憶媒体等を接続できるようになっており、本実施形態ではＵＳＢ（Universal Serial Bus  ユニバーサル・シリアル・バス）規格に応じたものを採用している。無線接続部２０ｆも接続手段に相当し、無線で通信を行う接続部であり、本実施形態ではブルートゥース（登録商標）の規格に応じたものを用いている。
【００７７】
本体操作部２０ｇは、ＨＤＤレコーダ２０の筐体に設けられて、ユーザからの操作を受け付けるボタン、スイッチ等を有するものであり、電源スイッチ、上下キー、選択ボタン等を有し、受け付けた操作内容を操作通知として、内部接続線２１を介しＣＰＵ２０ａへ伝える。リモコン受光部２０ｈは、ＨＤＤレコーダ２０の附属品であるリモコン装置２５からの操作信号（赤外光）を受光し、受光した操作信号を操作通知として、内部接続線２１を介しＣＰＵ２０ａへ伝える。なお、リモコン装置２５も電源スイッチ２５ａの他に、上下キー、選択ボタン等の各種ボタン等を設けて、ユーザからの操作を受け付ける。
【００７８】
映像処理部２０ｊは、テレビジョン装置１０から送られてくる番組の映像データについて記録用又は再生用の処理を行うものであり、記録時には映像データを記録用の所定形式に変換する処理を行うと共に、再生時には記録された映像データを再生用の形式に変換する処理等を行う。メモリ２０ｊは、ＣＰＵ２０ａが行う各種処理に伴うデータ、ファイル等を一時的に記憶するものである。
【００７９】
記憶部２０ｋ（ＨＤＤ、ハードディスクドライブ）は、各種プログラム、情報等を記憶する記憶媒体であり、本実施形態では、システムプログラムＰ１０、出力プログラムＰ１１、情報コンテンツテーブルＴ１０、表示条件２２、表示終了条件２３を記憶すると共に、録画したテレビ放送の番組に応じた録画データＤも記憶する。システムプログラムＰ１０はＨＤＤレコーダ２０の基本的な処理内容を規定した基本プログラムに相当するファームウェアである。出力プログラムＰ１１は、本発明の特徴的な処理であるテレビジョン装置１０の電源オフ操作に連動して情報（コンテンツ）をテレビジョン装置１０に表示させる処理内容を規定したアプリケーションプログラム（一種のコンピュータプログラムに相当）であり、この出力プログラムＰ２の規定内容によりＣＰＵ２０ａが各種手段として機能する。出力プログラムＰ１１の内容の詳細は後述する。
【００８０】
記憶部２０ｋに記憶される情報コンテンツテーブルＴ１０は、テレビジョン装置１０の電源オフ操作に連動して表示させるコンテンツ（情報コンテンツ）を複数格納したものであり、ＣＰＵ２０ａが、情報コンテンツテーブルＴ１０から所要のコンテンツを読み出す処理を行う。なお、コンテンツとしては、静止画像のコンテンツ又は動画のコンテンツの両方を用いることができる。
【００８１】
図７（ａ）〜（ｄ）は、情報コンテンツテーブルＴ１０に格納されたコンテンツの例を示している（テレビジョン装置１０で表示された状態を示す）。図７（ａ）は、第１コンテンツに応じた第１コンテンツ画面５１の内容を示しており、第１コンテンツ画面５１は、「忘れ物に注意！」という情報コンテンツを含んだ平日における朝の時間帯用のものである。また、第１コンテンツ画面５１は、ユーザ操作の受け付けが可能な操作受付部に相当する確認ボタン５１ａを含んでおり、第１コンテンツ画面５１がテレビジョン装置１０で表示された状態で、操作部１６又はリモコン装置１９の決定キーをユーザが操作することで、確認ボタン５１ａが選択されると、確認ボタン５１ａがユーザ操作を受け付けたことになり、テレビジョン装置１０は第１接続部１７ａから、確認ボタン５１ａがユーザ操作を受け付けたことを通知するユーザ操作通知を出力する（このようなユーザ操作通知の出力は、図７（ｂ）〜（ｆ）等に示す他のコンテンツ画面５２等の確認ボタン５２ａ等が選択されたときも同様）。
【００８２】
図７（ｂ）は、第２コンテンツに応じた第２コンテンツ画面５２の内容を示しており、第２コンテンツ画面５２は、「戸締まりは大丈夫ですか？」という情報コンテンツを含んだ就寝の時間帯用のものである。図７（ｃ）は、第３コンテンツに応じた第３コンテンツ画面５３の内容を示しており、第３コンテンツ画面５３は、「明日の準備は大丈夫ですか？」という情報コンテンツを含んだ夜間の時間帯用のものである。図７（ｄ）は、第４コンテンツに応じた第４コンテンツ画面５４の内容を示しており、第４コンテンツ画面５４は、「休みの予定は大丈夫ですか？」という情報コンテンツを含んだ休日前日用のものである。
【００８３】
上述した図７（ａ）〜（ｄ）で示したコンテンツ画面５１〜５４は一例にすぎず、このような各種コンテンツ画面に応じたコンテンツは、曜日・時間帯別に情報コンテンツテーブルＴ１０に格納されており、そのときの曜日・時間帯に応じたコンテンツをＣＰＵ２０ａが、情報コンテンツテーブルＴ１０から検索抽出することになる。
【００８４】
次に、記憶部２０ｋに記憶されている出力プログラムＰ１１の処理内容を説明する。まず、出力プログラムＰ１１は、外部装置接続部２０ｂを通じて、外部装置接続部２０ｂに接続された表示装置より出力されてきた電源オフ通知をＣＰＵ２０ａが取得した場合、記憶部２０ｋに記憶されている表示条件２２（コンテンツ出力条件に該当）に、電源オフ通知を取得した状態が合致するか否かを判断する処理を規定している。この判断で表示条件２２に合致すると、ＣＰＵ２０ａがオフ時処理手段として、オフ対応処理を行うことを出力プログラムＰ１１は規定している。
【００８５】
オフ対応処理は複数の処理を含んでおり、まず、外部装置接続部２０ｂに接続された表示装置を電源オン状態に移行させる電源オン制御信号を外部装置接続部２０ｂから出力する処理がある。また、電源オン制御信号の出力に伴って、外部装置接続部２０ｂに接続された表示装置の表示ソースを、ＨＤＤレコーダ２０に応じた表示ソースに切り替えさせる切替制御信号を外部装置接続部２０ｂから出力する処理もオフ対応処理は含んでいる。
【００８６】
さらに、オフ対応処理は、電源オン制御信号及び切替制御信号の出力に伴って、コンテンツを外部装置接続部２０ｂから出力する処理も存在する。この際、出力するコンテンツは、上述したように情報コンテンツテーブルＴ１０から、コンテンツを出力する状態に応じたものが検索抽出されることになる。具体的には、ＣＰＵ２０ａは時計機能及びカレンダー機能を具備しているので、コンテンツを出力するとき等に、そのときの年月日・時間・曜日を特定でき、その特定した年月日・時間・曜日に該当するコンテンツを、情報コンテンツテーブルＴ１０から検索抽出して、外部装置接続部２０ｂより出力する。なお、このようなＣＰＵ２０ａの時計機能等は他の処理（例えば、表示条件又は表示終了条件の判断処理等）でも使われる
【００８７】
コンテンツを出力すると、出力した時間を計測するため、ＣＰＵ２０ａは計時を行い、それから、記憶部２０ｋに記憶されている表示終了条件２３に合致するようになったか否かを判断する処理を出力プログラムＰ１１は規定している。表示終了条件２３に合致するようになった場合、ＣＰＵ２０ａは計時していた時間を一旦リセットし、外部装置接続部２０ｂに接続された表示装置をスタンバイ状態に移行させるスタンバイ制御信号を外部装置接続部２０ｂから出力する処理を出力プログラムＰ１１は規定している。その後は、コンテンツの出力処理を終了させて、ＨＤＤレコーダ２０自体をスタンバイ状態へ移行させる処理を出力プログラムＰ１１は規定している。なお、ＨＤＤレコーダ２０においても、電源オン状態、スタンバイ状態等の意味合いは、上述したテレビジョン装置１０の場合と同じである。
【００８８】
記憶部２０ｋに記憶される表示条件２２の具体的な条件内容としては、様々な条件が存在し、本実施形態では、三種類の条件を含んでいる。一つめの条件は、テレビジョン装置１０での電源オフ操作が１日における１回目の場合にコンテンツを表示させ、２回目以降の電源オフ操作については、コンテンツを表示させないというものである。この場合は、テレビジョン装置１０の電源オン／オフ操作を１日に複数回繰り返すユーザに好適な条件となり、１日の最初の電源オフ操作に対してのみコンテンツを表示させることになる。この場合に応じた条件は、１日の１回目の電源オフ通知であるか否かという内容になっており、この条件が有効になっている場合、ＣＰＵ２０ａは、１日の１回目の電源オフ通知を取得すると、電源オフ通知ありのフラグをメモリ２０ｊに立てて、その電源オフ通知ありのフラグがメモリ２０ｊに立っているか否かで、上記条件を判断する。なお、日が変わると、メモリ２０ｊのフラグをリセットしてフラグが立っていない状態にする。
【００８９】
本実施形態の二つめの条件は、所定の時間帯（基準時間帯）に、コンテンツを出力する時間が含まれるか否かというものである。基準時間帯に含まれる場合は、コンテンツを出力し、含まれない場合は、コンテンツを出力しないことになる。基準時間帯は１日における複数の時間帯を設定することも可能であり、例えば、７時から８時３０分という１つめの基準時間帯、及び１９時から２５時（次の日の１時）までの２つめの基準時間帯を設定することも可能である。このような二つめの条件は、基準時間帯以外はコンテンツの出力は煩わしいので排除したいことを希望するユーザ等に好適となる。なお、基準時間帯に関する条件は、上記と逆にすることも可能であり、例えば、基準時間帯に含まれない場合はコンテンツを出力し、基準時間帯に含まれる場合はコンテンツを出力しないという条件を用いてもよい。
【００９０】
本実施形態の三つめの条件は、図７（ａ）〜（ｄ）に示した各コンテンツ画面５１等における確認ボタン５１ａ等がユーザにより選択される操作が行われるまでは、コンテンツを出力するというものである。そのため、確認ボタン５１ａがユーザ操作を受け付けたことを通知するユーザ操作通知を、外部装置接続部２０ｂを介して取得すると、そのユーザ操作通知をメモリ２０ｊに記憶する制御をＣＰＵ２０ａは行っており、メモリ２０ｊにユーザ操作通知が記憶されているか否かで、確認ボタン５１ａが操作されたか否かをＣＰＵ２０ａは判断する。また、ＣＰＵ２０ａは、メモリ２０ｊにユーザ操作通知が記憶されている場合で、日付が変わると、記憶していたユーザ操作通知を消去してリセットする。
【００９１】
このような三つめの条件では、表示したコンテンツを確認ボタンが操作されてユーザが確認すれば、それ以降はコンテンツを表示しなくなるので、必要以上にコンテンツをユーザに提示しないようにする場合に好適となる。
【００９２】
なお、図７（ａ）〜（ｄ）に示した各コンテンツ画面５１等における確認ボタン５１ａ等がユーザにより選択操作が行われることで、出力されるユーザ操作通知が、コンテンツ画面毎に識別できるようになっている場合は、確認ボタンが操作されたコンテンツ画面については、それ以降、表示しないようにするが、他の種類のコンテンツ画面が表示できるようにしてもよい。この場合は、例えば、図７（ａ）の第１コンテンツ画面５１の第１確認ボタン５１ａが操作されると、第１ユーザ操作通知が出力され、ＨＤＤレコーダ２０のメモリ２０ｊには、第１コンテンツ画面５１に応じた第１ユーザ操作通知が記憶されることになり、この状態では、第１コンテンツ画面５１に応じたコンテンツの出力を行わないが、第１コンテンツ画面５１以外のコンテンツ画面（例えば、第２コンテンツ画面５２）に応じたコンテンツは出力することになる。
【００９３】
上述した表示条件２２の各条件内容は一例にすぎず、他の条件内容を用いることも可能である。また、出力プログラムＰ１１は、表示条件２２が含む複数の条件のいずれを適用するかを設定する表示条件設定メニューを外部装置接続部２０ｂに接続した表示装置に表示させて、使用する条件を選択できるようにしている。また、上述した所定の時間帯（基準時間帯）に含まれるか否かに応じてコンテンツを出力するという条件の場合（上述した二つめの条件の場合）、基準時間帯の時間数値を設定する時間設定メニューを表示するようにしている（この時間設定メニューでは複数の基準時間帯の設定も行える）。
【００９４】
また、記憶部２０ｋに記憶される表示終了条件２３も複数種類の条件を含んでおり、本実施形態では、三種類の条件を含んでいる。一つめの条件は、コンテンツを出力した状態で、テレビジョン装置１０での電源オフ操作が行われると、コンテンツの表示を終了させるというものである。この場合に応じた具体的な条件の内容は、コンテンツを出力した状態で電源オフ通知を、外部装置接続部２０を介して取得すると、表示終了条件に合致したと判断する。この一つめの条件では、ユーザが再度、電源オフ操作を行ったことになるので、このように再度の電源オフ操作があれば、ユーザの意向を反映してコンテンツの表示を終了する。
【００９５】
さらに、表示終了条件２３の二つめの条件は、コンテンツを出力して図７（ａ）〜（ｄ）に示すコンテンツ画面５１等を表示していた状態で、確認ボタン５１ａのユーザ選択操作に伴い、ユーザ操作通知を、外部装置接続部２０を介して取得したときは、表示処理終了条件に合致したと判断するものである。この二つめの条件では、表示されたコンテンツをユーザが確認すれば、それ以上は、コンテンツを表示しないようにして、必要以上にコンテンツの表示を継続しないようにしている。
【００９６】
さらにまた、表示終了条件２３の三つめの条件は、コンテンツを出力してからの時間が、基準時間を超過したときは、コンテンツの表示を終了するものである。この三つめの条件では、コンテンツを主力してからの計時時間と基準時間とを対比して、計時時間が基準時間を超過したか否かで、コンテンツの表示を終了するかを判断することになり、電源オフ操作に連動してコンテンツを必要以上に長く表示するのを回避できる。なお、基準時間としてはデフォルトで３０秒が設定されているが、図示しない基準時間設定メニューで、適宜基準時間を設定できるようになっている（例えば５秒〜３分の範囲で設定可能）。
【００９７】
なお、本実施形態の表示終了条件２３に含まれる三つの条件は組み合わせて全て用いるようにしているが、図示しない設定メニューにより用いる条件を適宜選択するようにしてもよい。また、上述した表示終了条件２３の三つの条件は一例であり、他の条件を用いることも可能である。
【００９８】
図８、９は、上述したテレビジョン装置１０及びＨＤＤレコーダ２０を接続したコンテンツ表示システム１におけるコンテンツ表示方法の処理手順を示す第１、２フローチャートである（各フローチャートにおいて、ＨＤＤレコーダ２０に関する処理手順についてはコンテンツ出力方法に相当する。以下、同様、）。以下、これら第１、２フローチャートに従ってコンテンツ表示方法の処理手順を説明していく。なお、第１フローチャートの開始時においては、テレビジョン装置１０及びＨＤＤレコーダ２０共、電源オン状態になっているものとする。
【００９９】
まず、テレビジョン装置１０は、ユーザによる電源オフ操作が有ったか否かを判断する（Ｓ１）。電源オフ操作が無い場合（Ｓ１：ＮＯ）、ユーザからの電源オフ操作待ちとなり、電源オフ操作が有った場合（Ｓ１：ＹＥＳ）、テレビジョン装置１０は第１接続部１７ａから電源オフ通知を出力し（Ｓ２）、スタンバイ状態へ移行する（Ｓ３）。なお、このスタンバイ状態へ移行することで、図２の（２）に示すように、表示画面１０ａは表示が消去された状況になる。
【０１００】
一方、ＨＤＤレコーダ２０（コンテンツ出力装置）は最初の段階で、電源オフ通知を取得したか否かを判断しており（Ｓ１１）、電源オフ通知を取得していない場合（Ｓ１１：ＮＯ）、テレビジョン装置１０から電源オフ通知が出力されるのを待つ状態となる。また、電源オフ通知を取得した場合（Ｓ１１：ＹＥＳ）、ＨＤＤレコーダ２０は、電源オフ通知を取得した状態（日時等の状況）が、記憶部２０ｋに記憶した表示条件２２に合致するか否かを判断する（Ｓ１２）。
【０１０１】
表示条件２２に合致しない場合（Ｓ１２：ＮＯ）、最初の電源オフ通知を取得したかを判断する段階（Ｓ１１）へ戻り、表示条件２２に合致した場合（Ｓ１２：ＹＥＳ）、ＨＤＤレコーダ２０はオフ対応処理を行って、電源オン制御信号、切り替え制御信号、コンテンツを外部装置接続部２０ｂから順次出力し（Ｓ１３）、それから計時を開始する（Ｓ１４）。
【０１０２】
また、テレビジョン装置１０はスタンバイ状態で電源オン制御信号等を、第１接続部１７ａを介して取得したか否かを判断しており（Ｓ４）、少なくとも電源オン制御信号を取得しない場合（Ｓ４：ＮＯ）、ユーザによる電源オン操作を受け付けたか否かを判断する（Ｓ５）。電源オン操作を受け付けていない場合（Ｓ５：ＮＯ）、電源オン制御信号を取得したかを判断する段階（Ｓ４）へ戻り、一方、電源オン操作を受け付けた場合（Ｓ５：ＹＥＳ）、テレビジョン装置１０は電源オン状態へ移行して（Ｓ６）、最初の電源オフ操作を受け付けたか否かを判断する段階へ戻る（Ｓ１）。なお、上述した電源オン操作を受け付けた場合（Ｓ５：ＹＥＳ）は、最初の段階でユーザから電源オフ操作を受け付けて（Ｓ１：ＹＥＳ）、その後、すぐに電源オン操作を受け付けたような状況に該当するので、このように電源オフ操作の後、直ちに電源オン操作が有ったときは、電源オフ操作に連動してコンテンツを表示する処理に至らないこともある。
【０１０３】
電源オン制御信号等を取得した場合（Ｓ４：ＹＥＳ）、テレビジョン装置１０は、取得した電源オン制御信号に基づき電源オン状態へ移行し（Ｓ７）、それから、切替制御信号を、第１接続部１７ａを介して取得したか否かを判断する（Ｓ８）。切替制御信号を取得していない場合（Ｓ８：ＮＯ）、取得待ちとなり、切替制御信号を取得した場合（Ｓ８）、テレビジョン装置１０は表示ソースを、ＨＤＤレコーダ２０が接続された第１接続部１７ａへ切り替える処理を行い（Ｓ９）、ＨＤＤレコーダ２０から出力されたコンテンツを表示画面１０ａに表示出力する（Ｓ１０）。このような処理を経て、図２の（３）に示すように、電源オン状態になったテレビジョン装置１０の表示画面１０ａにはコンテンツ画面５０が表示される。
【０１０４】
図９の第２フローチャートは、ユーザの電源オフ操作に連動してコンテンツ画面が表示された後の処理内容を示し、まず、テレビジョン装置１０は、コンテンツ表示状態での処理を行い（Ｓ２０）、それと並行して、ＨＤＤレコーダ２０は記憶部２０ｋに記憶された表示終了条件に合致したか否かを判断する（Ｓ３０）。表示終了条件に合致しない場合（Ｓ３０：ＮＯ）、表示終了条件の合致待ちの状態となり、表示処理条件に合致するようになった場合（Ｓ３０：ＹＥＳ）、ＨＤＤレコーダ２０は、Ｓ１４の段階で開始していた計時処理を終了し（Ｓ３１）、スタンバイ制御信号を外部装置接続部２０ｂから出力する（Ｓ３２）。
【０１０５】
また、テレビジョン装置１０はスタンバイ制御信号を取得したか否かを判断しており（Ｓ２１）、スタンバイ制御信号を取得しない場合（Ｓ２１：ＮＯ）、コンテンツ表示処理の段階（Ｓ２０）へ戻り、スタンバイ制御信号を取得した場合（Ｓ２１：ＹＥＳ）、スタンバイ状態へ移行する（Ｓ２２）。このスタンバイ状態への移行により、図２の（４）に示すように、テレビジョン装置１０の表示画面１０ａからはコンテンツ画面５０の表示が終了する。そして、ＨＤＤレコーダ２０の方も、スタンバイ制御信号の出力後、自身もスタンバイ状態へ移行して（Ｓ３３）、一連の処理を終了することになる。
【０１０６】
図１０（ａ）〜（ｃ）は、図８の第１フローチャートにおけるＳ１２の段階（表示条件の判断）の具体的な内容を示しており、図１０（ａ）は表示条件として１日の１回目の電源オン操作に対してのみコンテンツを表示するとした場合のものである。この場合、ＨＤＤレコーダ２０は、メモリ２０ｊに電源オフ通知のフラグが立っているか否かで、取得した電源オフ通知が１日の１回目の電源オフ通知であるか否かを判断し（Ｓ４０）、１回目の電源オフ通知であれば、第１フローチャートの「Ｓ１２：ＹＥＳ」へ進み、１回目の電源オフ通知でないときは、第１フローチャートの「Ｓ１２：ＮＯ」へ進む。
【０１０７】
また、図１０（ｂ）は表示条件として、電源オフ通知を取得した時間が基準時間帯に含まれれば、コンテンツを表示するとした場合のものである。この場合、ＨＤＤレコーダ２０は、電源オフ通知を取得した時間が基準時間帯に含まれるか否かを判断し（Ｓ４１）、基準時間帯に含まれれば、第１フローチャートの「Ｓ１２：ＹＥＳ」へ進み、基準時間帯に含まれなければ、第１フローチャートの「Ｓ１２：ＮＯ」へ進む。
【０１０８】
さらに、図１０（ｃ）は表示条件として、それ以前に表示したコンテンツ画面でユーザによる確認ボタンの操作が無いときにコンテンツを表示するとした場合のものである。この場合、ＨＤＤレコーダ２０は、メモリ２０ｊにユーザ操作通知が記憶されているか否かを判断し（Ｓ４２）、記憶されていなければ、第１フローチャートの「Ｓ１２：ＹＥＳ」へ進み、記憶されていれば、第１フローチャートの「Ｓ１２：ＮＯ」へ進む。
【０１０９】
図１１は、図９の第２フローチャートにおけるテレビジョン装置１０のＳ２０（コンテンツ表示状態処理）と、ＨＤＤレコーダ２０のＳ３０（表示終了条件の判断処理）の段階における具体的な中身を示す第３フローチャートである。第２フローチャートにおけるテレビジョン装置１０のＳ２０の段階における具体的な中身は、図１１の第３フローチャートにおけるＳ５０〜Ｓ５３の段階の内容が該当し、第２フローチャートにおけるＨＤＤレコーダ２０のＳ３０の段階における具体的な中身は、第３フローチャートにおけるＳ６０〜Ｓ６３の段階の内容が該当する。
【０１１０】
すなわち、第３フローチャートにおいて、テレビジョン装置１０は、ユーザから電源オフ操作を受け付けたか否かを判断し（Ｓ５０）、電源オフ操作を受け付ければ（Ｓ５０：ＹＥＳ）、電源オフ通知を第１接続部１７ａから出力する（Ｓ５１）。また、ユーザのよる電源オフ操作を受け付けなければ（Ｓ５０：ＮＯ）、次に、テレビジョン装置１０は表示しているコンテンツ画面で確認ボタンの操作を受け付けたか否かを判断する（Ｓ５２）。確認ボタンの操作を受け付けた場合（Ｓ５２：ＹＥＳ）、テレビジョン装置１０はユーザ操作通知を第１接続部１７ａから出力する（Ｓ５３）。なお、ユーザ操作通知の出力後又は確認ボタンの操作を受け付けていない場合（Ｓ５２：ＮＯ）、テレビジョン装置１０は、図９の第２フローチャートにおけるＳ２１の段階へ進む。
【０１１１】
一方、ＨＤＤレコーダ２０は、外部装置接続部２０を介して電源オフ通知を取得したか否かを判断し（Ｓ６０）、電源オフ通知を取得した場合（Ｓ６０：ＹＥＳ）、第２フローチャートの「Ｓ３０：ＹＥＳ」へ進む。また、電源オフ通知を取得していない場合（Ｓ６０：ＮＯ）、次に、ＨＤＤレコーダ２０はユーザ操作通知を取得したか否かを判断する（Ｓ６１）。ユーザ操作通知を取得した場合（Ｓ６１：ＹＥＳ）、取得したユーザ操作通知をメモリ２０ｊに記憶してから（Ｓ６２）、第２フローチャートの「Ｓ３０：ＹＥＳ」へと進む。
【０１１２】
そして、ユーザ操作通知を取得していない場合（Ｓ６１：ＮＯ）、ＨＤＤレコーダ２０は、計時した時間が基準時間を超過したか否かを判断する（Ｓ６３）。基準時間を超過した場合（Ｓ６３：ＹＥＳ）、第２フローチャートの「Ｓ３０：ＹＥＳ」へ進み、基準時間を超過していない場合（Ｓ６３：ＮＯ）、第２フローチャートの「Ｓ３０：ＮＯ」へ進むことになる。
【０１１３】
このように本実施形態では、テレビジョン装置１０に対する電源オフ操作に連動して、コンテンツを表示するので、電源オフ操作に合わせてユーザに各種情報を提示できると共に、コンテンツを表示するのは電源オフ操作が行われた場合なので、テレビ放送番組の視聴を妨げることもない。なお、上記の説明は一例であり、本実施形態においては各種変形例が想定できる。
【０１１４】
例えば、上記の説明では、テレビジョン装置１０の第１接続部１７ａに接続されてコンテンツを出力するコンテンツ出力装置をＨＤＤレコーダ２０としたが、録画及び再生の両方の機能を具備する録画再生装置（例えばＢＤレコーダ、ＤＶＤレコーダ）、再生機能のみを有する再生装置（例えば、ＤＶＤプレーヤ等）、ケーブルテレビ用装置（例えば、ＣＡＴＶ用セットトップボックス等）、ネットワーク用装置（例えば、ネットワーク用セットトップボックス等）なども対応可能であり、これらの各種装置に、上述したＨＤＤレコーダ２０で説明した本発明に関する電源オフ操作に連動したオフ対応処理等に応じた機能を具備すれば、これらの各種装置も本発明に用いることができる。
【０１１５】
また、表示装置（テレビジョン装置１０）と、コンテンツ出力装置（ＨＤＤレコーダ２０等）との接続は、ＨＤＭＩ(登録商標)系の規格によるものに限定されるものではなく、接続される両方の装置が対応しているのであれば、両装置の接続には他の規格を用いることも可能である。適用可能な接続規格としては、ＵＳＢ（Universal Serial Bus  ユニバーサル・シリアル・バス）系の規格、ＩＥＥＥ１３９４系の規格（例えば、i.LINK（登録商標）、ＤＶ端子等）、無線による接続規格（例えば、Bluetooth（登録商標）、無線ＵＳＢ等）、通信経由による接続として有線通信系の規格（例えば、イーサネット(登録商標)に応じた有線ＬＡＮ）及び無線通信系の規格（ＩＥＥＥ８０２．１１系の無線ＬＡＮ等）が想定できる。但し、これらの規格を用いる場合でも、上述した説明と同様に、表示装置は電源オン／オフ通知の出力、電源オン制御信号に基づく電源オン状態への移行、切替制御信号に基づく表示ソースの切替制御等を上述した各規格の接続を通じて行う必要があり、コンテンツ出力装置も電源オフ通知に対応したオフ対応処理、切替制御信号の出力等を上述した各規格の接続を通じて行う必要がある。
【０１１６】
さらに、表示装置としては、テレビジョン装置以外のものを適用することも可能であり、基本的にコンテンツが表示可能であると共に、上述した各規格に応じた接続部を有してコンテンツ出力装置と接続可能なものであれば、本発明に用いることができ、具体的には、コンピュータのモニタ装置、プロジェクタ装置、ノート型パソコン、タブレット端末、スマートホン等の通信端末等が想定できる。
【０１１７】
また、表示装置の表示ソースが単一であり、外部機器との接続用の接続部が一つである場合、コンテンツ出力装置は電源オフ通知に応じて切替制御信号を出力する処理、及び表示装置側の切替制御信号に基づく表示ソースの切替処理等を省略できる。さらに、表示装置が複数の表示ソースに対応する場合でも、コンテンツ出力装置がケーブルテレビ用装置（例えば、ＣＡＴＶ用セットトップボックス等）であり、常用的にコンテンツ出力装置に応じた表示ソースの接続部を表示装置がデフォルト的に使うときなども同様に、コンテンツ出力装置は電源オフ通知に応じて切替制御信号を出力する処理、及び表示装置側の切替制御信号に基づく表示ソースの切替処理等を省略できる。
【０１１８】
さらに、電源オフ操作に連動して表示されるコンテンツ画面の仕様の簡易化を図る場合は、コンテンツ画面の中に確認ボタン（図７（ａ）〜（ｄ）に示す確認ボタン５１ａ〜５１ｄ等）を省略することも可能である。ただし、確認ボタンを省略した場合は、表示条件２２及び表示終了条件２３に含まれる条件内容の中で、確認ボタンのユーザ選択に伴うユーザ操作通知に関する条件は使用不可となる。
【０１１９】
さらにまた、表示条件２２に含まれる複数の条件内容は、いずれか一つを個別に用いる他に、並列的に組み合わせて用いるようにすることも可能である。一方、表示終了条件２３については、図１１の第３フローチャートに示したように、複数の条件内容を直列的に組み合わせる以外に、いずれか一つ（例えば、基準時間を超過）だけを用いるようにすることも可能である。
【実施例２】
【０１２０】
図１２の第４フローチャートは、本発明の第２実施形態に係る処理手順を示しており、第２実施形態は、表示装置に対する電源オフ操作ではなく、コンテンツ出力装置に対する電源オフ操作に連動してコンテンツを表示するようにしたことが特徴になっている。以下、第２実施形態の内容を説明していくが、第２実施形態については、ハード的な構成を第１実施形態と同様にしているので、各符号は第１実施形態と同じ数字を用いている。
【０１２１】
まず、第２実施形態でも図１に示す第１実施形態の場合と同様に、表示装置としてテレビジョン装置１０を用いると共に、コンテンツ出力装置としてＨＤＤレコーダ２０を用いている。第２実施形態では、図６に示すＨＤＤレコーダ２０の記憶部２０ｋに記憶される出力プログラムＰ１１の規定内容が、第１実施形態と異なっており、この第２実施形態用の出力プログラムＰ１１の規定内容に従ってＣＰＵ２０ａが制御を行うことで、ＨＤＤレコーダ２０に対する電源オフ操作に連動して、テレビジョン装置１０にコンテンツ（情報）を表示できるようにしている。
【０１２２】
すなわち、電源オン状態のＨＤＤレコーダ２０に対して、本体操作部２０ｇの電源スイッチ又はリモコン装置２５の電源スイッチ２５ａで電源オフ操作を受け付けると、電源オフ操作の有った旨を通知する電源オフ通知が本体操作部２０ｇ又はリモコン受光部２０ｈから内部接続線２１を介してＣＰＵ２０ａに伝えられて、ＨＤＤレコーダ２０のＣＰＵ２０ａが電源オフ通知を取得することになる（この場合、ＨＤＤレコーダ２０のＣＰＵ２０ａは、操作取得部として機能する）。
【０１２３】
このようにＨＤＤレコーダ２０で、ユーザによる電源オフ操作に伴って電源オフ通知が取得されると、記憶部２０ｋに記憶された表示条件２２に電源オフ通知の取得状況（日時等）が合致するかが判断され、合致する場合は、切替制御信号及びコンテンツを出力するというオフ対応処理を行うことを第２実施形態の出力プログラムＰ１１は規定している。また、コンテンツ表示の終了に関しても、ＨＤＤレコーダ２０に対するユーザの電源オフ操作により、電源オフ通知がＣＰＵ２０ａに伝えられると、表示終了条件２３の条件の１つが充足することになる。上述した内容以外は、第２実施形態と第１実施形態の内容は基本的に同等である。以下、図１２、１３の第４、５フローチャートに従って、第２実施形態におけるコンテンツ表示方法の処理手順（ＨＤＤレコーダ２０におけるコンテンツ出力方法の処理手順）を説明していく（なお、第４フローチャートのスタートの時点で、テレビジョン装置１０及びＨＤＤレコーダ２０は共に、電源オン状態である）。
【０１２４】
まず、ＨＤＤレコーダ２０は、ユーザから電源オフ操作を受けてＣＰＵ２０ａが電源オフ通知を取得したか否かを判断する（Ｓ７０）。電源オフ通知を取得していない場合（Ｓ７０：ＮＯ）、ユーザの電源オフ操作を待つ状態となり、電源オフ通知を取得した場合（Ｓ７０：ＹＥＳ）、ＨＤＤレコーダ２０は、電源オフ通知を取得した状態が表示条件２２を満たすか否かを判断する（Ｓ７１）。
【０１２５】
表示条件２２を満たさない場合（Ｓ７１：ＮＯ）、最初の段階（Ｓ７０）へ戻ることになり、表示条件２２を満たす場合（Ｓ７１：ＹＥＳ）、ＨＤＤレコーダ２０はオフ対応処理を行って、切替制御信号、コンテンツを外部装置接続部２０ｂから順次出力し（Ｓ７２）、それから計時を開始する（Ｓ７３）。
【０１２６】
一方、テレビジョン装置１０は切替制御信号等を、第１接続部１７ａを介して取得したか否かを判断しており（Ｓ８０）、少なくとも切替制御信号を取得しない場合（Ｓ８０：ＮＯ）、切替制御信号を待つ状態となる。切替制御信号を取得した場合（Ｓ８０：ＹＥＳ）、テレビジョン装置１０は表示ソースを、ＨＤＤレコーダ２０が接続された第１接続部１７ａへ切り替える処理を行い（Ｓ８１）、ＨＤＤレコーダ２０から出力されたコンテンツを表示画面１０ａに表示出力する（Ｓ８２）。このような処理を経て、テレビジョン装置１０では、表示画面１０ａにＨＤＤレコーダ２０の出力したコンテンツに応じたコンテンツ画面５０が表示される。
【０１２７】
表示したコンテンツの表示終了条件に関する処理の基本部分は、第２実施形態と第１実施形態は同等になるので、第２実施形態においても、上述した図１２に示す第４フローチャートの後は、図９に示す第２フローチャートに示すコンテンツ表示方法の処理手順を行うことになる。また、第２実施形態でも表示条件２２を満たすか否かの具体的な内容（第４フローチャートにおけるＳ７１の内容）は第１実施形態と同等なので、図１０（ａ）〜（ｃ）に示す内容が第２実施形態にも当てはまる。
【０１２８】
なお、表示したコンテンツの表示処理条件についても、ＨＤＤレコーダ２０に対する電源オフ操作が有ったことを条件に含ませて、テレビジョン装置１０に対する電源オフ操作を条件から外す場合は、図１１に示す第３フローチャートではなく、図１３に示す第５フローチャートに示す処理手順が用いられる。
【０１２９】
すなわち、第５フローチャートにおいて、ＨＤＤレコーダ２０は、表示終了条件２３の一つとして、ユーザによるＨＤＤレコーダ２０に対する再度の電源オフ操作によりＣＰＵ２０ａで電源オフ通知を取得したか否かを判断し（Ｓ９０）、電源オフ通知を取得した場合（Ｓ９０：ＹＥＳ）、図９の第２フローチャートの「Ｓ３０：ＹＥＳ」へ進み、電源オフ通知を取得していない場合（Ｓ９０：ＮＯ）、図１１の第３フローチャートのＳ６１の段階へ進み、以降、第３フローチャートに従って表示終了条件の他の条件を判断することになる。
【０１３０】
一方、テレビジョン装置１０は、テレビジョン装置１０は表示しているコンテンツ画面で確認ボタンの操作を受け付けたか否かを判断し（Ｓ１００）、確認ボタンの操作を受け付けた場合（Ｓ１００：ＹＥＳ）、テレビジョン装置１０はユーザ操作通知を第１接続部１７ａから出力し（Ｓ１０１）、確認ボタンの操作を受け付けていない場合（Ｓ１００：ＮＯ）、テレビジョン装置１０は、図９の第２フローチャートにおけるＳ２１の段階へ進み、以降、第２フローチャートに従った処理が行われ、表示終了条件が満たされると、テレビジョン装置１０はコンテンツの表示が終了してスタンバイ状態へ移行することになる（Ｓ２２等参照）。
【０１３１】
このように本発明の第２実施形態では、ＨＤＤレコーダ２０に対する電源オフ操作が行われたことに対してもテレビジョン装置１０で情報コンテンツを表示することができるので、ＨＤＤレコーダ２０等のコンテンツ出力装置を主な操作対象とするユーザについても本発明をスムーズに適用することができる。なお、第１実施形態で説明した各種変形例は第２実施形態においても同様に適用可能である。
【０１３２】
また、第２実施形態の内容を、第１実施形態に組み合わせることも可能であり、このように組み合わせれば、表示装置（例えば、テレビジョン装置１０）又はコンテンツ出力装置（例えば、ＨＤＤレコーダ２０）のいずれに対してユーザの電源オフ操作が行われても、その電源オフ操作に連動して表示装置にコンテンツ出力装置が出力するコンテンツを表示することができ、また、コンテンツを表示した状態で、表示装置又はコンテンツ出力装置のいずれかに対して再度の電源オフ操作が行われれば、コンテンツの表示を終了することができ、いずれの装置に対するユーザ操作にも対応可能となり好適である。
【実施例３】
【０１３３】
図１４は、本発明の第３実施形態に係るコンテンツ表示システム１００の全体的な構成を示している。第３実施形態は、表示するコンテンツをコンテンツ出力装置（例えば、ＨＤＤレコーダ２０）が記憶するものに限定するのではなく、コンテンツ出力装置の外部から取得した情報を利用したことが特徴になっており、情報の取得先として、図１４に示すコンテンツ表示システム１００では、表示装置（例えば、テレビジョン装置１０）及びコンテンツ出力装置が設置される家屋に設けられたホームネットワークのホームサーバ１０１を対象にしている。
【０１３４】
図１４に示すホームサーバ１０１は、ホームネットワークとして家庭内の各種状況を管理するシステム（例えば、Home Management System）に応じたものとなっており、そのため、ホームサーバ１０１には、照明器具１１１、ガスの使用状況を検知するガス管理センサ１１２、太陽光発電システム等を備えた家庭内の電力量発生量・消費量等を管理する電力管理センサ１１３、家屋内の気温（室温）を測定する室温センサ１１４、家屋内の湿度を測定する湿度センサ１１５、家屋内に設置された警備システムを管理する警備コントローラ１１６、ユーザが使用するパーソナルコンピュータ（パソコン１１７と称す）、炊飯器、エアコン、冷蔵庫等の各種電気機器１１８等が有線又は無線によりネットワーク接続されている。ホームサーバ１０１は、ネットワーク接続されたこれらの機器１１１等から出力される情報（機器の作動状況、検知結果、管理内容等）を取得しており、その取得した各種情報をコンテンツ出力装置へ随時出力すると共に、コンテンツ出力装置からの情報要求に応じても出力可能になっている。
【０１３５】
第３実施形態のコンテンツ表示システム１００に用いる表示装置及びコンテンツ出力装置については、基本的に上述した第１、２実施形態と同様に、テレビジョン装置１０及びＨＤＤレコーダ２０を用いている。ただし、ＨＤＤレコーダ２０については、図６に示す有線通信部２０ｃに通信ケーブルを接続し、その通信ケーブルを図示しないルータ等に接続することでホームサーバ１０１と接続している。また、ＨＤＤレコーダ２０については、記憶部２０ｋに記憶される出力プログラムＰ１１の規定内容が第３実施形態用になっており、ホームサーバ１０１から取得した情報に基づいたコンテンツをＣＰＵ２０ａが生成する処理を新たに規定している。
【０１３６】
図１５（ａ）〜（ｄ）は、ホームサーバ１０１からの情報に基づきＣＰＵ２０ａが作成したコンテンツに応じたコンテンツ画面１３０〜１３３を示している。図１５（ａ）のコンテンツ画面１３０は、ホームサーバ１０１が電力管理センサ１１３の情報として、太陽光発電システムにおける１日の発電量及び消費電力を出力してきた場合に対応するものである。このような情報を取得したＨＤＤレコーダ２０は、その情報に含まれる発電量及び消費電力の数値を含むコンテンツをＣＰＵ２０ａが作成することになる。この場合、「本日の発電量」、「ｋｗ」、「本日の消費電力」等のテキストは予め記憶部２０ｋに記憶されているものとし、ＣＰＵ２０ａは取得した発電量及び消費電力の数値と、記憶している各種テキスト等を組み合わせて、コンテンツ画面１３０に応じたコンテンツを生成し、その生成したコンテンツをテレビジョン装置１０へ出力することで、テレビジョン装置１０には、図１５（ａ）に示すようなコンテンツ画面１３０が表示される。
【０１３７】
また、図１５（ｂ）のコンテンツ画面１３１は、パソコン１１７にユーザのスケジュールが管理されており、翌日のユーザのスケジュール情報がホームサーバ１０１から出力されてきた場合に表示されるものである。このコンテンツ画面１３１の場合、ＨＤＤレコーダ２０は、「１０月１４日午前１０時会議」というスケジュール情報をホームサーバ１０１から取得することになり、その他の「です。」等のテキストが記憶部２０ｋに記憶されているので、取得したスケジュール情報と記憶部２０ｋに記憶されているテキストを用いてコンテンツ画面１３１に応じたコンテンツをＣＰＵ２０ａが生成することになる。
【０１３８】
さらに、図１５（ｃ）のコンテンツ画面１３２は、電気機器１１８として炊飯器からの予約タイマーが未設定の状況をホームサーバ１０１が取得した場合に表示される例を示している。この例の場合、ホームサーバ１０１は「炊飯器：予約タイマー未設定」ということを示す情報（コード情報）をＨＤＤレコーダ２０に出力する。ＨＤＤレコーダ２０は記憶部２０ｋに予め各種コード情報に対応する情報テキストを記憶しており、例えば、上記の「炊飯器：予約タイマー未設定」というコード情報には、「炊飯器の予約タイマーを入れてください。」という情報テキストが対応づけて記憶されており、この対応付けられた情報テキストを記憶部２０ｋから読み出して、図１５（ｃ）に示すコンテンツ画面１３２に応じたコンテンツをＣＰＵ２０ａが生成することになる。
【０１３９】
さらにまた、図１５（ｄ）のコンテンツ画面１３３は、照明器具１１１として浴室に設置された照明器具の点灯が継続している状況をホームサーバ１０１が取得した場合に表示される例を示している。この例の場合、ホームサーバ１０１は「浴室照明：点灯」ということを示す情報（コード情報）をＨＤＤレコーダ２０に出力し、ＨＤＤレコーダ２０は記憶部２０ｋに予め記憶された「浴室照明：点灯」を示すコード情報に対応づけられた情報テキスト（浴室の照明を消してください。）を読み出して、図１５（ｄ）に示すコンテンツ画面１３３に応じたコンテンツを生成することになる。
【０１４０】
このように第３実施形態におけるコンテンツ表示システム１００では、ユーザによるテレビジョン装置１０又はＨＤＤレコーダ２０の電源オフ操作に連動して、図１５（ａ）〜（ｄ）に示すコンテンツ画面１３０〜１３３等が表示されるので、ユーザの生活に密着した有益な各種情報を提示できるというメリットがある。なお、図１５（ａ）〜（ｄ）に示したコンテンツ画面１３０等による内容は一例にすぎず、他の例としては、ガスの消し忘れ、持ち物（財布、携帯電話、カバン、ＩＤカード）等の提示等が考えられ、このような各種コンテンツは、コンテンツの出力時間に応じて適宜切り替えることが好適である。
【０１４１】
例えば、朝の６時〜８時の時間帯は今日の予定に関するコンテンツを出力し、夜の８時以降は明日の予定に関するコンテンツを出力し、また就寝前の時間帯であれば、１日の総括に関するコンテンツ（例えば、図１５（ａ）の１日の電力に関する情報等）を出力することや、戸締まり、電気の消し忘れ等のコンテンツを出力すること等が好適となる。また、出勤時等の時間帯においても警備システムのセットを促すことに関するコンテンツ、電気の消し忘れ等に関するコンテンツの出力も好適である。さらに、ホームサーバ１０１が見守りシステムにも関連する処理を行っている場合は、室温・湿度等に基づくコンテンツを出力して家庭内に居るユーザに対して室内の環境に注意を促すことも好適である。
【０１４２】
また、コンテンツ出力装置（ＨＤＤレコーダ２０）が外部から情報を取得するのは、ホームサーバ１０１に限定されるものではなく、情報を出力できる装置・機器であれば、外部からの情報取得先にすることができ、例えば、簡易な例であれば、各種コンテンツ・情報等を記憶した記憶媒体（ＵＳＢメモリ、メモリカード等）から、情報を取得するようにしてもよい。
【０１４３】
図１６は、第３実施形態における外部からの情報の取得先の変形例のコンテンツ表示システム２００を示しており、この変形例では、広域のネットワーク（例えば、インターネット）等に接続されたウェブサーバ２０１、２０２、２０３等からコンテンツ出力装置（ＨＤＤレコーダ２０）が情報を取得することになる（ＨＤＤレコーダ２０は、有線通信部２０ｃ又は無線通信部２０ｄにより、広域のネットワークを介して各ウェブサーバ２０１等と接続を確立する）。この変形例の場合、ＨＤＤレコーダ２０の出力プログラムＰ１１は、所定の時刻又は所定の時間間隔で、各ウェブサーバ２０１等に応じたＵＲＬへアクセスして、各ウェブサーバ２０１等が配信する情報を取得することを規定しており、より多くの様々な情報をコンテンツとしてユーザに提示することを可能にする。
【０１４４】
このようにウェブサーバ２０１等から取得する情報の例としては、天気予報、各種ニュース、株価、スポーツの試合結果、映画・コンサート情報、ＳＮＳの最新情報等があり、また、ウェブサーバが見守りサービスの見守りサーバに該当する場合は見守りサービスに関する各種情報も提供できるようになる。図１６に示すウェブサーバ２０１等の変形例は、図１４に示すホームサーバ１０１に示すシステムと組み合わせて、ホームサーバ１０１及びウェブサーバ２０１等の両方からの情報に基づくコンテンツを表示する仕様にすることも可能である。なお、第３実施形態は、上述した内容以外は第１、２実施形態と同様であり、第１、２実施形態で説明した各種変形例も適用できる。
【産業上の利用可能性】
【０１４５】
本発明は、表示装置（例えば、テレビジョン装置）又はコンテンツ出力装置（ＨＤＤレコーダ、ＢＤプレーヤ等）に対する電源オフ操作に連動して、各種コンテンツをユーザに提示できるので、テレビ放送番組の視聴等を妨げることなくユーザに情報を提供する機会を確保できるという点で好適に利用可能である。
【符号の説明】
【０１４６】
１、１００、２００  コンテンツ表示システム
１０  テレビジョン装置（表示装置）
１０ａ  表示画面
１３  赤外線処理部
１４  制御部
１６  操作部
１７ａ  第１接続部
１９  リモコン装置
２０  ＨＤＤレコーダ（コンテンツ出力装置）
２２  表示条件
２３  表示終了条件
５０〜５４  コンテンツ画面
５１ａ〜５４ａ  確認ボタン
１０１  ホームサーバ
２０１〜２０３  ウェブサーバ
Ｐ１１  出力プログラム
【図１】
2016086224.tif 000003
【図２】
2016086224.tif 000004
【図３】
2016086224.tif 000005
【図４】
2016086224.tif 000006
【図５】
2016086224.tif 000007
【図６】
2016086224.tif 000008
【図７】
2016086224.tif 000009
【図８】
2016086224.tif 000010
【図９】
2016086224.tif 000011
【図１０】
2016086224.tif 000012
【図１１】
2016086224.tif 000013
【図１２】
2016086224.tif 000014
【図１３】
2016086224.tif 000015
【図１４】
2016086224.tif 000016
【図１５】
2016086224.tif 000017
【図１６】
2016086224.tif 000018